(57)【要約】  アップリンク信号の伝送方法及び端末装置、ネットワーク装置であって、アップリンクデータを復調するためのＵＣＩの非ライセンススペクトルでの正確な伝送を実現することができる。該方法は、端末装置は第１伝送ブロックレートにマッチングして取得したアップリンクデータを伝送するための第１時間周波数リソースと、前記アップリンクデータを復調するためのアップリンク制御情報（ＵＣＩ）を伝送するための第２時間周波数リソースとを決定し、前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数であることと、前記端末装置が前記Ｎ個のサブバンドのうちの少なくとも１つのサブバンドに対してチャネル検出を行って、検出結果に基づいて前記アップリンクデータ及び前記ＵＣＩの送信を決定することと、を含む。
2021528937.tif 000002
【特許請求の範囲】
【請求項１】
アップリンク信号の伝送方法であって、
端末装置は、第１伝送ブロックレートにマッチングして取得したアップリンクデータを伝送するための第１時間周波数リソースと、前記アップリンクデータを復調するためのアップリンク制御情報（ＵＣＩ）を伝送するための第２時間周波数リソースとを決定し、前記第１時間周波数リソースは周波数領域においてＮ個のサブバンドを占有し、前記第２時間周波数リソースは前記第１時間周波数リソースのうちのリソースであり、前記第２時間周波数リソースは周波数領域において前記Ｎ個のサブバンドのうちのＭ個のサブバンドを占有し、Ｎ≧２であり、Ｍ≧１であり、ＮとＭはいずれも正の整数であることと、
前記端末装置は、前記Ｎ個のサブバンドのうちの少なくとも１つのサブバンドに対してチャネル検出を行って、検出結果に基づいて前記アップリンクデータ及び前記ＵＣＩの送信を決定することと、を含むことを特徴とするアップリンク信号の伝送方法。
【請求項２】
Ｍ＝Ｎであり、前記第２時間周波数リソースは周波数領域において前記Ｎ個のサブバンドのうちの各サブバンドを占有することを特徴とする請求項１に記載の方法。
【請求項３】
前記第２時間周波数リソースがＵＣＩを伝送することに用いられることは、
前記第２時間周波数リソースのうちの第１サブ時間周波数リソースが、前記ＵＣＩに含まれるすべての情報を伝送することに用いられることを含み、
前記第１サブ時間周波数リソースは、前記第２時間周波数リソースの前記Ｎ個のサブバンドのうちの第１サブバンドでのリソースであることを特徴とする請求項２に記載の方法。
【請求項４】
前記第２時間周波数リソースがＵＣＩを伝送することに用いられることは、
前記第２時間周波数リソースの前記Ｎ個のサブバンドのうちのｉ番目のサブバンドでのリソースが、前記ＵＣＩに含まれるｋ＊Ｎ＋ｉ番目の変調シンボルを伝送することに用いられることを含み、
１≦ｉ≦Ｎであり、ｋ≧０であり、ｉとｋはいずれも整数であることを特徴とする請求項２に記載の方法。
【請求項５】
前記第２時間周波数リソースがＵＣＩを伝送することに用いられることは、
前記第２時間周波数リソースのうちの第２サブ時間周波数リソースが、前記ＵＣＩに含まれる第１サブＵＣＩと第２サブＵＣＩを伝送することに用いられることを含み、
前記第２サブ時間周波数リソースは前記第２時間周波数リソースの前記Ｎ個のサブバンドのうちの第２サブバンドでのリソースであり、前記第１サブＵＣＩは前記アップリンクデータを復調するための復調情報を含み、前記第２サブＵＣＩは前記第２サブバンドにおける前記アップリンクデータを復調するための復調情報を含むことを特徴とする請求項２に記載の方法。
【請求項６】
前記第１サブＵＣＩは、前記第１伝送ブロックに対応するハイブリッド自動再送要求（ＨＡＲＱ）識別子、前記端末装置の識別子、及び前記第１伝送ブロックに対応する巡回冗長検査（ＣＲＣ）のうちの少なくとも１つの情報を含むことを特徴とする請求項５に記載の方法。
【請求項７】
前記第２サブＵＣＩは、前記第１時間周波数リソースの前記第２サブバンドでの開始シンボル、前記第１時間周波数リソースの前記第２サブバンドでの終了シンボル、前記第２サブバンドにおいて伝送されるコードブロックグループ（ＣＢＧ）指示、前記第２サブバンドにおいて伝送されるＣＢＧの新規データ指示子（ＮＤＩ）、前記第２サブバンドにおいて伝送されるＣＢＧの冗長バージョン（ＲＶ）、前記第２サブバンドにおいて伝送されるＣＢＧに対応するＣＲＣ、及び前記第２サブバンドにおけるチャネル占有時間（ＣＯＴ）共有指示のうちの少なくとも１つの情報を含むことを特徴とする請求項５又は６に記載の方法。
【請求項８】
前記方法は更に、
前記端末装置が、検出結果に基づいて前記Ｎ個のサブバンドのうちのＫ個のサブバンドが使用可能であることを決定し、１≦Ｋ≦Ｎであり、Ｋが正の整数であることと、
前記端末装置が前記第１時間周波数リソースの前記Ｋ個のサブバンドでのリソースによって前記アップリンクデータを送信し、前記第２時間周波数リソースの前記Ｋ個のサブバンドでのリソースによって前記ＵＣＩを送信することと、を含むことを特徴とする請求項２〜７のいずれか１項に記載の方法。
【請求項９】
Ｍ＜Ｎであり、前記方法は更に、
前記端末装置が、検出結果に基づいて前記Ｎ個のサブバンドのうちのＫ個のサブバンドが使用可能であることを決定し、１≦Ｋ＜Ｎであり、Ｋが正の整数であることと、
前記端末装置が前記Ｋ個のサブバンドにおいて前記アップリンクデータと前記ＵＣＩを送信しないことと、を含むことを特徴とする請求項１に記載の方法。
【請求項１０】
２≦Ｍ＜Ｎであり、前記第２時間周波数リソースがＵＣＩを伝送することに用いられることは、
前記第２時間周波数リソースの前記Ｍ個のサブバンドのうちのｊ番目のサブバンドでのリソースが、前記ＵＣＩに含まれるｋ＊Ｍ＋ｊ番目の変調シンボルを伝送することに用いられることを含み、
１≦ｊ≦Ｍであり、ｋ≧０であり、ｊとｋはいずれも整数であることを特徴とする請求項１又は９に記載の方法。
【請求項１１】
前記ＵＣＩのビットレートは前記Ｍの値により決定されることを特徴とする請求項１〜１０のいずれか１項に記載の方法。
【請求項１２】
前記ＵＣＩのビットレートは、ネットワーク装置が設定したもの又はプロトコルにより決められたものであることを特徴とする請求項１〜１１のいずれか１項に記載の方法。
【請求項１３】
アップリンク信号の伝送方法であって、
ネットワーク装置は、端末装置が第１時間周波数リソースのＮ個のサブバンドのうちのＫ個のサブバンドでのリソースにより送信したアップリンクデータと、第２時間周波数リソースのＫ個のサブバンドでのリソースにより送信したアップリンク制御情報（ＵＣＩ）とを受信し、前記第１時間周波数リソースは第１伝送ブロックレートにマッチングして取得したアップリンクデータを伝送することに用いられ、前記第２時間周波数リソースは前記アップリンクデータを復調するための前記ＵＣＩを伝送することに用いられることを含み、
前記第１時間周波数リソースは周波数領域においてＮ個のサブバンドを占有し、前記第２時間周波数リソースは前記第１時間周波数リソースのうちのリソースであり、前記第２時間周波数リソースは周波数領域において前記Ｎ個のサブバンドのうちのＭ個のサブバンドを占有し、Ｎ≧２であり、Ｍ≧１であり、ＮとＭはいずれも正の整数であり、１≦Ｋ≦Ｎであり、Ｋが正の整数であることを特徴とするアップリンク信号の伝送方法。
【請求項１４】
Ｍ＝Ｎであり、前記第２時間周波数リソースは周波数領域において前記Ｎ個のサブバンドのうちの各サブバンドを占有することを特徴とする請求項１３に記載の方法。
【請求項１５】
前記第２時間周波数リソースがＵＣＩを伝送することに用いられることは、
前記第２時間周波数リソースのうちの第１サブ時間周波数リソースが、前記ＵＣＩに含まれるすべての情報を伝送することに用いられることを含み、
前記第１サブ時間周波数リソースは、前記第２時間周波数リソースの前記Ｎ個のサブバンドのうちの第１サブバンドでのリソースであることを特徴とする請求項１４に記載の方法。
【請求項１６】
前記第２時間周波数リソースがＵＣＩを伝送することに用いられることは、
前記第２時間周波数リソースの前記Ｎ個のサブバンドのうちのｉ番目のサブバンドでのリソースが、前記ＵＣＩに含まれるｋ＊Ｎ＋ｉ番目の変調シンボルを伝送することに用いられることを含み、
１≦ｉ≦Ｎであり、ｋ≧０であり、ｉとｋはいずれも整数であることを特徴とする請求項１４に記載の方法。
【請求項１７】
前記第２時間周波数リソースがＵＣＩを伝送することに用いられることは、
前記第２時間周波数リソースのうちの第２サブ時間周波数リソースが、前記ＵＣＩに含まれる第１サブＵＣＩと第２サブＵＣＩを伝送することに用いられることを含み、
前記第２サブ時間周波数リソースは前記第２時間周波数リソースの前記Ｎ個のサブバンドのうちの第２サブバンドでのリソースであり、前記第１サブＵＣＩは前記アップリンクデータを復調するための復調情報を含み、前記第２サブＵＣＩは前記第２サブバンドにおける前記アップリンクデータを復調するための復調情報を含むことを特徴とする請求項１４に記載の方法。
【請求項１８】
前記第１サブＵＣＩは、前記第１伝送ブロックに対応するハイブリッド自動再送要求（ＨＡＲＱ）識別子、前記端末装置の識別子、及び前記第１伝送ブロックに対応する巡回冗長検査（ＣＲＣ）のうちの少なくとも１つの情報を含むことを特徴とする請求項１７に記載の方法。
【請求項１９】
前記第２サブＵＣＩは、前記第１時間周波数リソースの前記第２サブバンドでの開始シンボル、前記第１時間周波数リソースの前記第２サブバンドでの終了シンボル、前記第２サブバンドにおいて伝送されるコードブロックグループ（ＣＢＧ）指示、前記第２サブバンドにおいて伝送されるＣＢＧの新規データ指示子（ＮＤＩ）、前記第２サブバンドにおいて伝送されるＣＢＧの冗長バージョン（ＲＶ）、前記第２サブバンドにおいて伝送されるＣＢＧに対応するＣＲＣ、及び前記第２サブバンドにおけるチャネル占有時間（ＣＯＴ）共有指示のうちの少なくとも１つの情報を含むことを特徴とする請求項１７又は１８に記載の方法。
【請求項２０】
２≦Ｍ＜Ｎであり、前記第２時間周波数リソースがＵＣＩを伝送することに用いられることは、
前記第２時間周波数リソースの前記Ｍ個のサブバンドのうちのｊ番目のサブバンドでのリソースが、前記ＵＣＩに含まれるｋ＊Ｍ＋ｊ番目の変調シンボルを伝送することに用いられることを含み、
１≦ｊ≦Ｍであり、ｋ≧０であり、ｊとｋはいずれも整数であることを特徴とする請求項１３に記載の方法。
【請求項２１】
前記ＵＣＩのビットレートは前記Ｍの値により決定されることを特徴とする請求項１３〜２０のいずれか１項に記載の方法。
【請求項２２】
前記ＵＣＩのビットレートは、ネットワーク装置が設定したもの又はプロトコルにより決められたものであることを特徴とする請求項１３〜２１のいずれか１項に記載の方法。
【請求項２３】
端末装置であって、
第１伝送ブロックレートにマッチングして取得したアップリンクデータを伝送するための第１時間周波数リソースと、前記アップリンクデータを復調するためのアップリンク制御情報（ＵＣＩ）を伝送するための第２時間周波数リソースとを決定することに用いられ、前記第１時間周波数リソースは周波数領域においてＮ個のサブバンドを占有し、前記第２時間周波数リソースは前記第１時間周波数リソースのうちのリソースであり、前記第２時間周波数リソースは周波数領域において前記Ｎ個のサブバンドのうちのＭ個のサブバンドを占有し、Ｎ≧２であり、Ｍ≧１であり、ＮとＭはいずれも正の整数である決定ユニットと、
前記Ｎ個のサブバンドのうちの少なくとも１つのサブバンドに対してチャネル検出を行って、検出結果に基づいて前記アップリンクデータ及び前記ＵＣＩの送信を決定することに用いられる送信ユニットと、を備えることを特徴とする端末装置。
【請求項２４】
Ｍ＝Ｎであり、前記第２時間周波数リソースは周波数領域において前記Ｎ個のサブバンドのうちの各サブバンドを占有することを特徴とする請求項２３に記載の端末装置。
【請求項２５】
前記第２時間周波数リソースがＵＣＩを伝送することに用いられることは、
前記第２時間周波数リソースのうちの第１サブ時間周波数リソースが、前記ＵＣＩに含まれるすべての情報を伝送することに用いられることを含み、
前記第１サブ時間周波数リソースは、前記第２時間周波数リソースの前記Ｎ個のサブバンドのうちの第１サブバンドでのリソースであることを特徴とする請求項２４に記載の端末装置。
【請求項２６】
前記第２時間周波数リソースがＵＣＩを伝送することに用いられることは、
前記第２時間周波数リソースの前記Ｎ個のサブバンドのうちのｉ番目のサブバンドでのリソースが、前記ＵＣＩに含まれるｋ＊Ｎ＋ｉ番目の変調シンボルを伝送することに用いられることを含み、
１≦ｉ≦Ｎであり、ｋ≧０であり、ｉとｋはいずれも整数であることを特徴とする請求項２４に記載の端末装置。
【請求項２７】
前記第２時間周波数リソースがＵＣＩを伝送することに用いられることは、
前記第２時間周波数リソースのうちの第２サブ時間周波数リソースが、前記ＵＣＩに含まれる第１サブＵＣＩと第２サブＵＣＩを伝送することに用いられることを含み、
前記第２サブ時間周波数リソースは前記第２時間周波数リソースの前記Ｎ個のサブバンドのうちの第２サブバンドでのリソースであり、前記第１サブＵＣＩは前記アップリンクデータを復調するための復調情報を含み、前記第２サブＵＣＩは前記第２サブバンドにおける前記アップリンクデータを復調するための復調情報を含むことを特徴とする請求項２４に記載の端末装置。
【請求項２８】
前記第１サブＵＣＩは、前記第１伝送ブロックに対応するハイブリッド自動再送要求（ＨＡＲＱ）識別子、前記端末装置の識別子、及び前記第１伝送ブロックに対応する巡回冗長検査（ＣＲＣ）のうちの少なくとも１つの情報を含むことを特徴とする請求項２７に記載の端末装置。
【請求項２９】
前記第２サブＵＣＩは、前記第１時間周波数リソースの前記第２サブバンドでの開始シンボル、前記第１時間周波数リソースの前記第２サブバンドでの終了シンボル、前記第２サブバンドにおいて伝送されるコードブロックグループ（ＣＢＧ）指示、前記第２サブバンドにおいて伝送されるＣＢＧの新規データ指示子（ＮＤＩ）、前記第２サブバンドにおいて伝送されるＣＢＧの冗長バージョン（ＲＶ）、前記第２サブバンドにおいて伝送されるＣＢＧに対応するＣＲＣ、及び前記第２サブバンドにおけるチャネル占有時間（ＣＯＴ）共有指示のうちの少なくとも１つの情報を含むことを特徴とする請求項２７又は２８に記載の端末装置。
【請求項３０】
前記送信ユニットは更に、
検出結果に基づいて前記Ｎ個のサブバンドのうちのＫ個のサブバンドが使用可能であることを決定し、１≦Ｋ≦Ｎであり、Ｋが正の整数であることと、
前記第１時間周波数リソースの前記Ｋ個のサブバンドでのリソースによって前記アップリンクデータを送信し、前記第２時間周波数リソースの前記Ｋ個のサブバンドでのリソースによって前記ＵＣＩを送信することと、に用いられることを特徴とする請求項２４〜２９のいずれか１項に記載の端末装置。
【請求項３１】
Ｍ＜Ｎであり、前記送信ユニットは更に、
検出結果に基づいて前記Ｎ個のサブバンドのうちのＫ個のサブバンドが使用可能であることを決定し、１≦Ｋ＜Ｎであり、Ｋが正の整数であることと、
前記Ｋ個のサブバンドにおいて前記アップリンクデータと前記ＵＣＩを送信しないことと、に用いられることを特徴とする請求項２３に記載の端末装置。
【請求項３２】
２≦Ｍ＜Ｎであり、前記第２時間周波数リソースがＵＣＩを伝送することに用いられることは、
前記第２時間周波数リソースの前記Ｍ個のサブバンドのうちのｊ番目のサブバンドでのリソースが、前記ＵＣＩに含まれるｋ＊Ｍ＋ｊ番目の変調シンボルを伝送することに用いられることを含み、
１≦ｊ≦Ｍであり、ｋ≧０であり、ｊとｋはいずれも整数であることを特徴とする請求項２３又は３１に記載の端末装置。
【請求項３３】
前記ＵＣＩのビットレートは前記Ｍの値により決定されることを特徴とする請求項２３〜３２のいずれか１項に記載の端末装置。
【請求項３４】
前記ＵＣＩのビットレートは、ネットワーク装置が設定したもの又はプロトコルにより決められたものであることを特徴とする請求項２３〜３３のいずれか１項に記載の端末装置。
【請求項３５】
ネットワーク装置であって、
端末装置が第１時間周波数リソースのＮ個のサブバンドのうちのＫ個のサブバンドでのリソースにより送信したアップリンクデータと、第２時間周波数リソースのＫ個のサブバンドでのリソースにより送信したアップリンク制御情報（ＵＣＩ）とを受信することに用いられ、前記第１時間周波数リソースは第１伝送ブロックレートにマッチングして取得したアップリンクデータを伝送することに用いられ、前記第２時間周波数リソースは前記アップリンクデータを復調するための前記ＵＣＩを伝送することに用いられる受信ユニットを備え、
前記第１時間周波数リソースは周波数領域においてＮ個のサブバンドを占有し、前記第２時間周波数リソースは前記第１時間周波数リソースのうちのリソースであり、前記第２時間周波数リソースは周波数領域において前記Ｎ個のサブバンドのうちのＭ個のサブバンドを占有し、Ｎ≧２であり、Ｍ≧１であり、ＮとＭはいずれも正の整数であり、１≦Ｋ≦Ｎであり、Ｋが正の整数であることを特徴とするネットワーク装置。
【請求項３６】
Ｍ＝Ｎであり、前記第２時間周波数リソースは周波数領域において前記Ｎ個のサブバンドのうちの各サブバンドを占有することを特徴とする請求項３５に記載のネットワーク装置。
【請求項３７】
前記第２時間周波数リソースがＵＣＩを伝送することに用いられることは、
前記第２時間周波数リソースのうちの第１サブ時間周波数リソースが、前記ＵＣＩに含まれるすべての情報を伝送することに用いられることを含み、
前記第１サブ時間周波数リソースは、前記第２時間周波数リソースの前記Ｎ個のサブバンドのうちの第１サブバンドでのリソースであることを特徴とする請求項３６に記載のネットワーク装置。
【請求項３８】
前記第２時間周波数リソースがＵＣＩを伝送することに用いられることは、
前記第２時間周波数リソースの前記Ｎ個のサブバンドのうちのｉ番目のサブバンドでのリソースが、前記ＵＣＩに含まれるｋ＊Ｎ＋ｉ番目の変調シンボルを伝送することに用いられることを含み、
１≦ｉ≦Ｎであり、ｋ≧０であり、ｉとｋはいずれも整数であることを特徴とする請求項３６に記載のネットワーク装置。
【請求項３９】
前記第２時間周波数リソースがＵＣＩを伝送することに用いられることは、
前記第２時間周波数リソースのうちの第２サブ時間周波数リソースが、前記ＵＣＩに含まれる第１サブＵＣＩと第２サブＵＣＩを伝送することに用いられることを含み、
前記第２サブ時間周波数リソースは前記第２時間周波数リソースの前記Ｎ個のサブバンドのうちの第２サブバンドでのリソースであり、前記第１サブＵＣＩは前記アップリンクデータを復調するための復調情報を含み、前記第２サブＵＣＩは前記第２サブバンドにおける前記アップリンクデータを復調するための復調情報を含むことを特徴とする請求項３６に記載のネットワーク装置。
【請求項４０】
前記第１サブＵＣＩは、前記第１伝送ブロックに対応するハイブリッド自動再送要求（ＨＡＲＱ）識別子、前記端末装置の識別子、及び前記第１伝送ブロックに対応する巡回冗長検査（ＣＲＣ）のうちの少なくとも１つの情報を含むことを特徴とする請求項３９に記載のネットワーク装置。
【請求項４１】
前記第２サブＵＣＩは、前記第１時間周波数リソースの前記第２サブバンドでの開始シンボル、前記第１時間周波数リソースの前記第２サブバンドでの終了シンボル、前記第２サブバンドにおいて伝送されるコードブロックグループ（ＣＢＧ）指示、前記第２サブバンドにおいて伝送されるＣＢＧの新規データ指示子（ＮＤＩ）、前記第２サブバンドにおいて伝送されるＣＢＧの冗長バージョン（ＲＶ）、前記第２サブバンドにおいて伝送されるＣＢＧに対応するＣＲＣ、及び前記第２サブバンドにおけるチャネル占有時間（ＣＯＴ）共有指示のうちの少なくとも１つの情報を含むことを特徴とする請求項３９又は４０に記載のネットワーク装置。
【請求項４２】
２≦Ｍ＜Ｎであり、前記第２時間周波数リソースがＵＣＩを伝送することに用いられることは、
前記第２時間周波数リソースの前記Ｍ個のサブバンドのうちのｊ番目のサブバンドでのリソースが、前記ＵＣＩに含まれるｋ＊Ｍ＋ｊ番目の変調シンボルを伝送することに用いられることを含み、
１≦ｊ≦Ｍであり、ｋ≧０であり、ｊとｋはいずれも整数であることを特徴とする請求項２９に記載のネットワーク装置。
【請求項４３】
前記ＵＣＩのビットレートは前記Ｍの値により決定されることを特徴とする請求項３５〜４２のいずれか１項に記載のネットワーク装置。
【請求項４４】
前記ＵＣＩのビットレートは、ネットワーク装置が設定したもの又はプロトコルにより決められたものであることを特徴とする請求項３５〜４３のいずれか１項に記載のネットワーク装置。
【請求項４５】
通信装置であって、コンピュータプログラムを記憶するためのメモリと、前記メモリに記憶されるコンピュータプログラムを呼び出して実行し、請求項１〜２２のいずれか１項に記載の方法を実行するためのプロセッサと、を備えることを特徴とする通信装置。
【請求項４６】
チップであって、メモリからコンピュータプログラムを呼び出して実行し、前記チップを取り付ける装置に請求項１〜１２のいずれか１項に記載の方法を実行させるためのプロセッサを備えることを特徴とするチップ。
【請求項４７】
チップであって、メモリからコンピュータプログラムを呼び出して実行し、前記チップを取り付ける装置に請求項１３〜２２のいずれか１項に記載の方法を実行させるためのプロセッサを備えることを特徴とするチップ。
【請求項４８】
コンピュータ可読記憶媒体であって、コンピュータプログラムを記憶することに用いられ、前記コンピュータプログラムによってコンピュータが請求項１〜１２のいずれか１項に記載の方法を実行することを特徴とするコンピュータ可読記憶媒体。
【請求項４９】
コンピュータ可読記憶媒体であって、コンピュータプログラムを記憶することに用いられ、前記コンピュータプログラムによってコンピュータが請求項１３〜２２のいずれか１項に記載の方法を実行することを特徴とするコンピュータ可読記憶媒体。
【請求項５０】
コンピュータプログラム製品であって、コンピュータプログラム命令を含み、該コンピュータプログラム命令によってコンピュータが請求項１〜１２のいずれか１項に記載の方法を実行することを特徴とするコンピュータプログラム製品。
【請求項５１】
コンピュータプログラム製品であって、コンピュータプログラム命令を含み、該コンピュータプログラム命令によってコンピュータが請求項１３〜２２のいずれか１項に記載の方法を実行することを特徴とするコンピュータプログラム製品。
【請求項５２】
コンピュータに請求項１〜１２のいずれか１項に記載の方法を実行させることを特徴とするコンピュータプログラム。
【請求項５３】
コンピュータに請求項１３〜２２のいずれか１項に記載の方法を実行させることを特徴とするコンピュータプログラム。
【発明の詳細な説明】
【技術分野】
【０００１】
本願の実施例は通信技術分野に関し、具体的にアップリンク信号の伝送方法及び端末装置、ネットワーク装置に関する。
【背景技術】
【０００２】
新無線（ＮＲ、Ｎｅｗ  Ｒａｄｉｏ）システム、例えば５Ｇアプリケーションにおいて、非ライセンス（ｕｎｌｉｃｅｎｓｅｄ）スペクトルを用い、即ち非ライセンススペクトルのチャネルにおいてＮＲ技術で通信してもよい。非ライセンススペクトルを使用して無線通信を行う各無線通信システムが該スペクトルにおいて共存できるように、いくつかの国又は地区は非ライセンススペクトルを使用する際に満足しなければならない法規要求を規定した。例えば、欧州地区では、通信装置は「リッスン・ビフォー・トーク」（ＬＢＴ、ｌｉｓｔｅｎ−ｂｅｆｏｒｅ−ｔａｌｋ）原則に従い、即ち通信装置は非ライセンススペクトルのチャネルにおいて信号を送信する前に、まず非ライセンススペクトルのチャネルにおいてチャネルを感知する必要があり、チャネル感知結果はチャネルがアイドルであることである場合のみ、該通信装置が信号を送信することとなり、チャネル感知結果はチャネルがビジーである場合、該通信装置が信号を送信できない。
【０００３】
ところが、ＮＲ−Ｕ（Ｎｅｗ  Ｒａｄｉｏ−Ｕｎｌｉｃｅｎｓｅｄ）システムにおいて、端末装置はマルチサブバンドに基づいて設定されたアップリンクグラント（Ｃｏｎｆｉｇｕｒｅ  Ｇｒａｎｔ  Ｕｐｌｉｎｋ）のデータ伝送を行う場合、端末装置のアップリンク伝送を行うための時間周波数リソースはネットワーク装置が予め設定したものであり、端末装置は該予め設定した時間周波数リソースにおいてアップリンクデータと該アップリンクデータを復調するためのアップリンク制御情報（ＵＣＩ、Ｕｐｌｉｎｋ  Ｃｏｎｔｒｏｌ  Ｉｎｆｏｒｍａｔｉｏｎ）とを伝送してもよい。しかしながら、いくつかの場合、例えば、ＵＣＩがマッピングされるサブバンドはＬＢＴに失敗したため伝送できない場合、ＵＣＩが正確に伝送できない恐れがある。
【０００４】
従って、アップリンクデータを復調するためのＵＣＩの非ライセンススペクトルでの正確な伝送を実現するための非ライセンススペクトルにおけるアップリンク信号伝送方法を提供する必要がある。
【発明の概要】
【発明が解決しようとする課題】
【０００５】
本願の実施例はアップリンクデータを復調するためのＵＣＩの非ライセンススペクトルでの正確な伝送を実現するための、アップリンク信号の伝送方法及び端末装置、ネットワーク装置を提供する。
【課題を解決するための手段】
【０００６】
第１態様ではアップリンク信号の伝送方法を提供し、
端末装置は第１伝送ブロックレートにマッチングして取得したアップリンクデータを伝送するための第１時間周波数リソースと、前記アップリンクデータを復調するためのアップリンク制御情報（ＵＣＩ）を伝送するための第２時間周波数リソースとを決定し、前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数であることと、
前記端末装置が前記Ｎ個のサブバンドのうちの少なくとも１つのサブバンドに対してチャネル検出を行って、検出結果に基づいて前記アップリンクデータ及び前記ＵＣＩの送信を決定することと、を含む。
【０００７】
第２態様では他のアップリンク信号の伝送方法を提供し、
ネットワーク装置は端末装置が第１時間周波数リソースのＮ個のサブバンドのうちのＫ個のサブバンドでのリソースにより送信したアップリンクデータと、第２時間周波数リソースのＫ個のサブバンドでのリソースにより送信したアップリンク制御情報（ＵＣＩ）とを受信し、前記第１時間周波数リソースは第１伝送ブロックレートにマッチングして取得したアップリンクデータを伝送することに用いられ、前記第２時間周波数リソースは前記アップリンクデータを復調するための前記ＵＣＩを伝送することに用いられることを含み、
前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数であり、１≦Ｋ≦Ｎであり、Ｋが正の整数である。
【０００８】
第３態様では端末装置を提供し、上記第１態様又はその各実現方式における方法を実行することに用いられる。
【０００９】
具体的に、該端末装置は上記第１態様又はその各実現方式における方法を実行するための機能モジュールを備える。
【００１０】
第４態様ではネットワーク装置を提供し、上記第２態様又はその各実現方式における方法を実行することに用いられる。
【００１１】
具体的に、該ネットワーク装置は上記第２態様又はその各実現方式における方法を実行するための機能モジュールを備える。
【００１２】
第５態様では通信装置を提供し、プロセッサ及びメモリを備える。該メモリはコンピュータプログラムを記憶することに用いられ、該プロセッサは該メモリに記憶されるコンピュータプログラムを呼び出して実行して、上記第１態様〜上記第２態様のうちのいずれか１つ又はその各実現方式における方法を実行することに用いられる。
【００１３】
第６態様ではチップを提供し、上記第１態様又はその各実現方式における方法を実現することに用いられる。
【００１４】
具体的に、該チップは、メモリからコンピュータプログラムを呼び出して実行し、該チップを取り付ける装置に上記第１態様〜上記第２態様のうちのいずれか１つ又はその各実現方式における方法を実行させるためのプロセッサを備える。
【００１５】
第７態様ではコンピュータ可読記憶媒体を提供し、コンピュータプログラムを記憶することに用いられ、該コンピュータプログラムによりコンピュータが上記第１態様〜上記第２態様のうちのいずれか１つ又はその各実現方式における方法を実行する。
【００１６】
第８態様ではコンピュータプログラム製品を提供し、コンピュータプログラム命令を含み、該コンピュータプログラム命令によってコンピュータが上記第１態様〜上記第２態様のうちのいずれか１つ又はその各実現方式における方法を実行する。
【００１７】
第９態様ではコンピュータプログラムを提供し、コンピュータにおいて実行されるとき、コンピュータが上記第１態様〜上記第２態様のうちのいずれか１つ又はその各実現方式における方法を実行する。
【発明の効果】
【００１８】
上記技術案によれば、端末装置は第１伝送ブロックレートにマッチングして取得したアップリンクデータを伝送するための第１時間周波数リソースと、前記アップリンクデータを復調するためのＵＣＩを伝送するための第２時間周波数リソースとを決定し、前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数である。それにより、前記端末装置は前記Ｎ個のサブバンドのうちの少なくとも１つのサブバンドに対してチャネル検出を行って、検出結果に基づいて前記アップリンクデータ及び前記ＵＣＩの送信を決定することができ、アップリンクデータを復調するためのＵＣＩを伝送する時間周波数リソースが複数のサブバンドを占有したため、ＵＣＩがマッピングされるあるサブバンドがＬＢＴに失敗したため伝送できないことによるアップリンクデータを復調するためのＵＣＩが正確に伝送できないという技術的問題を回避することができ、それによりアップリンクデータを復調するためのＵＣＩが正確に復調される確率を向上させる。
【図面の簡単な説明】
【００１９】
【図１】図１は本願の実施例に係る通信システムアーキテクチャの模式図である。
【図２Ａ】図２Ａは本願の実施例に係るアップリンク信号の伝送方法の模式図である。
【図２Ｂ】図２Ｂは図２Ａに対応する実施例のサブバンドにおける第１サブ時間周波数リソースの模式図である。
【図３Ａ】図３Ａは本願の実施例に係る他のアップリンク信号の伝送方法の模式図である。
【図３Ｂ】図３Ｂは本願の実施例に係る他のアップリンク信号の伝送方法の模式図である。
【図４】図４は本願の実施例に係る端末装置の模式的なブロック図である。
【図５Ａ】図５Ａは本願の実施例に係るネットワーク装置の模式的なブロック図である。
【図５Ｂ】図５Ｂは本願の実施例に係る他のネットワーク装置の模式的なブロック図である。
【図６】図６は本願の実施例に係る通信装置の模式的なブロック図である。
【図７】図７は本願の実施例に係るチップの模式的なブロック図である。
【図８】図８は本願の実施例に係る通信システムの模式的なブロック図である。
【発明を実施するための形態】
【００２０】
以下、本願の実施例の図面を参照しながら、本願の実施例の技術案を説明し、無論、説明される実施例は本願の実施例の一部であり、実施例の全部ではない。本願の実施例に基づいて、当業者が進歩性のある労働を必要とせずに取得した他の実施例は、いずれも本願の保護範囲に属する。
【００２１】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステム等に適用されてもよい。
【００２２】
本願の実施例の技術案はライセンススペクトルに適用されてもよく、非ライセンススペクトルに適用されてもよく、本願の実施例は制限しない。
【００２３】
例示的なものとして、本願の実施例に適用される通信システム１００は図１に示される。該通信システム１００はネットワーク装置１１０を備えてもよく、ネットワーク装置１１０は端末装置１２０（通信端末、端末とも称される）と通信する装置であってもよい。ネットワーク装置１１０は特定の地理的領域に通信カバレッジを提供することができ、且つ該カバレッジ領域内の端末装置と通信することができる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよい。又は、該ネットワーク装置は移動交換局、中継局、アクセスポイント、車載装置、ウェアラブル装置、ハブ、スイッチ、ブリッジ、ルータ、５Ｇネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００２４】
該通信システム１００は更にネットワーク装置１１０のカバレッジ範囲内の少なくとも１つの端末装置１２０を備える。ここで使用される「端末装置」は有線回線により接続されるもの、例えば公衆交換電話網（ＰＳＴＮ、Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ、Ｄｉｇｉｔａｌ  Ｓｕｂｓｃｒｉｂｅｒ  Ｌｉｎｅ）、デジタルケーブル、直接ケーブルを介して接続されるもの、及び／又は他のデータ接続／ネットワーク、及び／又は無線インターフェース、例えばセルラーネットワーク、無線ローカルエリアネットワーク（ＷＬＡＮ、Ｗｉｒｅｌｅｓｓ  Ｌｏｃａｌ  Ａｒｅａ  Ｎｅｔｗｏｒｋ）例えばＤＶＢ−Ｈネットワークのデジタルテレビネットワーク、衛星ネットワーク、ＡＭ−ＦＭ放送機を介するもの、及び／又は他の端末装置における通信信号を送受信するように設定される装置、及び／又はモノのインターネット（ＩｏＴ、Ｉｎｔｅｒｎｅｔ  ｏｆ  Ｔｈｉｎｇｓ）装置を含むが、それらに限らない。無線インターフェースを介して通信するように設定される端末装置は「無線通信端末」「無線端末」又は「携帯端末」と称されてもよい。携帯端末の例は衛星又はセルラー電話、セルラー方式無線電話及びデータ処理、ファックス及びデータ通信能力を組み合わせたパーソナル通信システム（ＰＣＳ、Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットアクセス、Ｗｅｂブラウザ、メモ帳、カレンダー及び／又は全地球測位システム（ＧＰＳ、Ｇｌｏｂａｌ  Ｐｏｓｉｔｉｏｎｉｎｇ  Ｓｙｓｔｅｍ）受信機のＰＤＡ、及び通常のラップトップ及び／又はパームトップ受信機又は無線電話送受信機を備える他の電子装置を含むが、それらに限らない。端末装置とはアクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル装置、５Ｇネットワークにおける端末装置又は将来発展するＰＬＭＮにおける端末装置等であってもよい。
【００２５】
選択肢として、端末装置１２０同士は装置対装置（Ｄ２Ｄ、Ｄｅｖｉｃｅ  ｔｏ  Ｄｅｖｉｃｅ）通信を行うことができる。
【００２６】
選択肢として、５Ｇシステム又は５Ｇネットワークは更に新無線（ＮＲ、Ｎｅｗ  Ｒａｄｉｏ）システム又はＮＲネットワークと称されてもよい。
【００２７】
図１には１つのネットワーク装置及び２つの端末装置を例示する。選択肢として、該通信システム１００は複数のネットワーク装置を備えてもよく、且つ各ネットワーク装置のカバレッジ範囲内に他の数の端末装置が含まれてもよく、本願の実施例は制限しない。
【００２８】
選択肢として、該通信システム１００は更にネットワークコントローラ、モビリティ管理エンティティ等の他のネットワークエンティティを備えてもよく、本願の実施例は制限しない。
【００２９】
理解されるべきように、本願の実施例では、ネットワーク／システムにおける通信機能を有する装置は通信装置と称されてもよい。図１に示される通信システム１００を例とすると、通信装置は通信機能を有するネットワーク装置１１０及び端末装置１２０を備えてもよく、ネットワーク装置１１０及び端末装置１２０は以上に説明される具体的な装置であってもよく、ここで詳細な説明は省略する。通信装置は更に通信システム１００における他の装置、例えばネットワークコントローラ、モビリティ管理エンティティ等の他のネットワークエンティティを備えてもよく、本願の実施例は制限しない。
【００３０】
理解されるべきように、本明細書における用語「システム」と「ネットワーク」は本明細書において常に交換可能に使用される。本明細書における用語「及び／又は」は関連オブジェクトの関連関係を説明するためのものに過ぎず、３つの関係が存在してもよいことを示す。例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」の関係であることを示す。
【００３１】
図２Ａに示されるように、図２Ａは本願の実施例に係るアップリンク信号の伝送方法２００の模式的なフローチャートである。
【００３２】
２１０、端末装置は第１伝送ブロックレートにマッチングして取得したアップリンクデータを伝送するための第１時間周波数リソースと、前記アップリンクデータを復調するためのアップリンク制御情報（ＵＣＩ、Ｕｐｌｉｎｋ  Ｃｏｎｔｒｏｌ  Ｉｎｆｏｒｍａｔｉｏｎ）を伝送するための第２時間周波数リソースとを決定する。
【００３３】
前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数である。
【００３４】
２２０、前記端末装置は前記Ｎ個のサブバンドのうちの少なくとも１つのサブバンドに対してチャネル検出を行って、検出結果に基づいて前記アップリンクデータ及び前記ＵＣＩの送信を決定する。
【００３５】
本実施例では、端末装置は第１伝送ブロックレートにマッチングして取得したアップリンクデータを伝送するための第１時間周波数リソースと、前記アップリンクデータを復調するためのＵＣＩを伝送するための第２時間周波数リソースとを決定してもよい。前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数である。第１時間周波数リソースと第２時間周波数リソースを決定した後、前記端末装置は前記Ｎ個のサブバンドのうちの少なくとも１つのサブバンドに対してチャネル検出を行って、検出結果に基づいて前記アップリンクデータ及び前記ＵＣＩの送信を決定してもよい。
【００３６】
選択肢として、本願の実施例では、サブバンドのサイズは端末装置がチャネルを検出する単位帯域幅のサイズと同じであり、又は、サブバンドのサイズは端末装置がチャネルを検出する単位帯域幅の整数倍である。例えば、端末装置がチャネルを検出する単位帯域幅は２０ＭＨｚであると仮定すれば、サブバンドのサイズが２０ＭＨｚであってもよく、４０ＭＨｚ又は６０ＭＨｚ等であってもよく、本実施例は特に制限しない。
【００３７】
理解されるべきように、本願の実施例では、前記第１時間周波数リソースが周波数領域においてＮ個のサブバンドを占有することは、前記第１時間周波数リソースが周波数領域においてＮ個のサブバンドにおけるすべてのリソースを占有し、又は前記第１時間周波数リソースが周波数領域においてＮ個のサブバンドにおける一部のリソースを占有するということであってもよく、本実施例は特に制限しない。
【００３８】
理解されるべきように、本願の実施例では、前記第２時間周波数リソースが周波数領域においてＮ個のサブバンドのうちのＭ個のサブバンドを占有することは、前記第２時間周波数リソースが周波数領域において該Ｍ個のサブバンドにおけるすべてのリソースを占有し、又は前記第２時間周波数リソースが周波数領域において該Ｍ個のサブバンドにおける一部のリソースを占有するということであってもよく、本実施例は特に制限しない。
【００３９】
選択肢として、本願の実施例では、前記アップリンクデータの前記第１時間周波数リソースでの伝送方式はコードブロックグループ（ＣＢＧ、Ｃｏｄｅ  Ｂｌｏｃｋ  Ｇｒｏｕｐ）伝送方式であり、前記第１時間周波数リソースの前記Ｎ個のサブバンドのうちの各サブバンドでのリソースは整数個のＣＢＧを伝送することに用いられる。
【００４０】
選択肢として、本実施例の１つの可能な実現方式では、Ｍ＝Ｎであり、前記第２時間周波数リソースが周波数領域において前記Ｎ個のサブバンドのうちの各サブバンドを占有する。
【００４１】
選択肢として、本実施例の１つの可能な実現方式では、Ｍ＜Ｎであり、前記第２時間周波数リソースが周波数領域において前記Ｎ個のサブバンドのうちの一部のサブバンドを占有する。
【００４２】
１つの具体的な実現過程において、前記第２時間周波数リソースのうちの第１サブ時間周波数リソースは具体的に前記ＵＣＩに含まれるすべての情報を伝送することに用いられてもよい。前記第１サブ時間周波数リソースは前記第２時間周波数リソースの前記Ｍ個のサブバンドのうちの第１サブバンドでのリソースであってもよく、図２Ｂに示される（図２Ｂでは、Ｍ＝Ｎである）。
【００４３】
選択肢として、前記第１サブバンドは前記Ｍ個のサブバンドのうちの１つのサブバンドである。
【００４４】
選択肢として、前記第１サブバンドは前記Ｍ個のサブバンドのうちのいずれか１つのサブバンドである。
【００４５】
選択肢として、前記第２時間周波数リソースの前記Ｍ個のサブバンドのうちの各サブバンドでのリソースはいずれも前記ＵＣＩに含まれるすべての情報を伝送することに用いられる。更に、選択肢として、前記第２時間周波数リソースの前記Ｍ個のサブバンドのうちの各サブバンドでのリソースは前記ＵＣＩ情報レートにマッチングして取得したＵＣＩデータを繰り返して伝送することに用いられ、又は、前記第２時間周波数リソースの前記Ｍ個のサブバンドのうちの各サブバンドでのリソースは前記ＵＣＩ情報レートにマッチングして取得したＵＣＩデータの異なる冗長バージョンを伝送することに用いられ、例えば、Ｍ＝２であり、サブバンド１は冗長バージョン０のＵＣＩデータを伝送することに用いられ、サブバンド２は冗長バージョン２のＵＣＩデータ等を伝送することに用いられる。選択肢として、ＵＣＩ情報レートにマッチングして取得したＵＣＩデータはＵＣＩが符号化、混合、ビット削除及び変調等の過程を経て取得した第２時間周波数リソースにマッチングするＵＣＩデータを含む。
【００４６】
選択肢として、前記ＵＣＩに含まれるすべての情報は、前記第１伝送ブロックに対応するハイブリッド自動再送要求（ＨＡＲＱ、Ｈｙｂｒｉｄ  Ａｕｔｏｍａｔｉｃ  Ｒｅｐｅａｔ  ｒｅＱｕｅｓｔ）識別子、前記端末装置の識別子、前記第１伝送ブロックに対応する巡回冗長検査（ＣＲＣ、Ｃｙｃｌｉｃ  Ｒｅｄｕｎｄａｎｃｙ  Ｃｈｅｃｋ）、前記第１時間周波数リソースの開始シンボル、前記第１時間周波数リソースの終了シンボル、前記第１時間周波数リソースにおいて伝送されるコードブロックグループ（ＣＢＧ、Ｃｏｄｅ  Ｂｌｏｃｋ  Ｇｒｏｕｐ）指示、前記第１伝送ブロックの新規データ指示子（ＮＤＩ、Ｎｅｗ  ｄａｔａ  ｉｎｄｉｃａｔｏｒ）、前記第１伝送ブロックの冗長バージョン（ＲＶ、Ｒｅｄｕｎｄａｎｃｙ  ｖｅｒｓｉｏｎ）、及び前記第１時間周波数リソースにおけるチャネル占有時間（ＣＯＴ、Ｃｈａｎｎｅｌ  Ｏｃｃｕｐａｎｃｙ  Ｔｉｍｅ）共有指示のうちの少なくとも１つを含んでもよいが、それらに限らない。
【００４７】
選択肢として、本願の実施例では、前記ＣＯＴ共有指示は前記端末装置のチャネルへのアクセスに成功した後の１回伝送チャンスにおけるリソースが、他の装置による通信伝送に使用されるかどうかを示すことに用いられてもよい。例えば、前記ＣＯＴ共有指示が共有可能を示す場合、前記端末装置のチャネルへのアクセスに成功した後の１回伝送チャンスにおけるリソースは他の通信装置による通信伝送に使用されてもよく、他の通信装置はネットワーク装置であってもよく、前記端末装置と異なる他の端末装置等であってもよく、本願の実施例は制限しない。
【００４８】
該方式では、送信可能なサブバンドが１つあれば、該ＵＣＩが正確に復調でき、それによりサブバンドにおけるアップリンクデータの正確な伝送を確保することができる。各サブバンドにおいていずれもすべてのサブバンドのＵＣＩを示す必要があるため、シグナリングオーバーヘッドが比較的大きい。
【００４９】
他の具体的な実現過程において、前記第２時間周波数リソースの前記Ｍ個のサブバンドのうちのｉ番目のサブバンドでのリソースは具体的に、前記ＵＣＩに含まれる（ｋ＊Ｍ＋ｉ）番目の変調シンボルを伝送することに用いられてもよく、１≦ｉ≦Ｍ、ｋ≧０であり、ｉとｋがいずれも整数である。
【００５０】
例えば、ＵＣＩが４つのサブバンドにマッピングされる場合を例とし、マッピングするとき、変調シンボル１がサブバンド１、変調シンボル２がサブバンド２、変調シンボル３がサブバンド３、変調シンボル４がサブバンド４、変調シンボル５がサブバンド１、変調シンボル６がサブバンド２、変調シンボル７がサブバンド３、変調シンボル８がサブバンド４に位置し、これによって類推する。
【００５１】
他の具体的な実現過程において、前記第２時間周波数リソースの前記Ｍ個のサブバンドのうちのｐ番目のサブバンドでのリソースは具体的に、前記ＵＣＩに含まれる（ｋ＊Ｍ＋ｐ）番目のビットを伝送することに用いられてもよく、１≦ｐ≦Ｍ、ｋ≧０であり、ｐとｋがいずれも整数である。
【００５２】
例えば、ＵＣＩが４つのサブバンドにマッピングされる場合を例とし、マッピングするとき、１、５、９、１３、…、（ｋ＊Ｍ＋１）番目のビットがサブバンド１に位置し、２、６、１０、１４、…、（ｋ＊Ｍ＋２）番目のビットがサブバンド２に位置し、３、７、１１、１５、…、（ｋ＊Ｍ＋３）番目のビットがサブバンド３に位置し、４、８、１２、１６、…、（ｋ＊Ｍ＋４）番目のビットがサブバンド４に位置する。変調次数が２である場合、サブバンド１における１番目の変調シンボルは１番目のビットと５番目のビットを含み、２番目の変調シンボルは９番目のビットと１３番目のビットを含み、サブバンド２における１番目の変調シンボルは２番目のビットと６番目のビットを含み、２番目の変調シンボルは１０番目のビットと１４番目のビットを含み、これによって類推する。
【００５３】
選択肢として、本実施例の１つの可能な実現方式では、前記第２時間周波数リソースのサイズは前記ＵＣＩのビットレートによって決定されてもよい。
【００５４】
理解されるべきように、ビットレートが低い場合、ＵＣＩがマッピングされるサブバンドはＬＢＴに失敗したため伝送できなくても、他のサブバンドにおいてマッピングされるＵＣＩに基づいて正確に復調する確率がある。
【００５５】
選択肢として、本実施例の１つの可能な実現方式では、前記ＵＣＩのビットレートは前記Ｍの値によって決定されてもよい。
【００５６】
例えば、Ｍ＝１の場合、ビットレートはｘと記される基準値であってもよい。Ｍ＝２の場合、ビットレートがｘ／２であってもよい。Ｍ＝３の場合、ビットレートがｘ／３であってもよい。Ｍ＝４の場合、ビットレートがｘ／４であってもよい。制限ではなく例示的なものとして、前記ｘの値が１／２であってもよい。
【００５７】
選択肢として、本実施例の１つの可能な実現方式では、前記ＵＣＩのビットレートは前記アップリンクデータのビットレートによって決定されてもよい。
【００５８】
選択肢として、本実施例の１つの可能な実現方式では、前記ＵＣＩのビットレートはネットワーク装置が設定したもの又はプロトコルにより決められたものであってもよい。
【００５９】
１つの具体的な実現過程において、前記ＵＣＩのビットレートは標準規範において規定したものであってもよい。
【００６０】
他の具体的な実現過程において、前記ＵＣＩのビットレートは前記ネットワーク装置が指示情報によって前記端末装置に送信したものであってもよい。
【００６１】
前記指示情報は物理層シグナリングであってもよく、媒体アクセス制御（ＭＡＣ、Ｍｅｄｉａ  Ａｃｃｅｓｓ  Ｃｏｎｔｒｏｌ）の制御要素（ＣＥ、Ｃｏｎｔｒｏｌ  Ｅｌｅｍｅｎｔ）シグナリングであってもよく、無線リソース制御（ＲＲＣ、Ｒａｄｉｏ  Ｒｅｓｏｕｒｃｅ  Ｃｏｎｔｒｏｌ）シグナリングであってもよく、本実施例は特に制限しない。
【００６２】
指示情報が物理層シグナリングである場合、前記指示情報は物理層シグナリングにより明示的又は暗示的に示されるものであってもよい。
【００６３】
例えば、前記ネットワーク装置はダウンリンク制御情報（ＤＣＩ、Ｄｏｗｎｌｉｎｋ  ｃｏｎｔｒｏｌ  ｉｎｆｏｒｍａｔｉｏｎ）によって、前記ＵＣＩのビットレートを前記端末装置に示す（又は、指定されたビットレートに対する前記ＵＣＩのビットレートの倍数関係を示す）。
【００６４】
理解されるように、前記指示情報は更にＲＲＣシグナリングと物理層シグナリングの組み合わせであってもよい。例えば、ネットワーク装置は少なくとも２種類のＵＣＩのビットレートの設定を設定して、ＤＣＩによって端末装置が１回アップリンク伝送において該少なくとも２種類の設定のうちのどの種類を使用すべきかを示す。
【００６５】
選択肢として、本実施例の１つの可能な実現方式では、前記第２時間周波数リソースのサイズは前記アップリンクデータのビットレートによって決定されてもよい。
【００６６】
他の具体的な実現過程において、前記第２時間周波数リソースのうちの第２サブ時間周波数リソースは具体的に前記ＵＣＩに含まれる第１サブＵＣＩと第２サブＵＣＩを伝送することに用いられてもよく、前記第２サブ時間周波数リソースが前記第２時間周波数リソースの前記Ｍ個のサブバンドのうちの第２サブバンドでのリソースであり、前記第１サブＵＣＩは前記アップリンクデータを復調するための復調情報を含み、前記第２サブＵＣＩは前記第２サブバンドにおける前記アップリンクデータを復調するための復調情報を含む。
【００６７】
又は、前記第１サブＵＣＩは前記アップリンクデータを復調するための共有復調情報を含み、前記第２サブＵＣＩは前記第２サブバンドにおける前記アップリンクデータを復調するためのサブバンド専有復調情報を含む。
【００６８】
選択肢として、前記第２サブバンドは前記Ｍ個のサブバンドのうちの１つのサブバンドである。
【００６９】
選択肢として、前記第２サブバンドは前記Ｍ個のサブバンドのうちのいずれか１つのサブバンドである。
【００７０】
例えば、前記第１サブＵＣＩは、前記第１伝送ブロックに対応するハイブリッド自動再送要求（ＨＡＲＱ）識別子、前記端末装置の識別子、前記第１伝送ブロックに対応する巡回冗長検査（ＣＲＣ）、前記第１時間周波数リソースの開始シンボル、前記第１時間周波数リソースの終了シンボル、前記第１時間周波数リソースにおいて伝送されるコードブロックグループ（ＣＢＧ、Ｃｏｄｅ  Ｂｌｏｃｋ  Ｇｒｏｕｐ）指示、前記第１伝送ブロックの新規データ指示子（ＮＤＩ、Ｎｅｗ  ｄａｔａ  ｉｎｄｉｃａｔｏｒ）、前記第１伝送ブロックの冗長バージョン（ＲＶ、Ｒｅｄｕｎｄａｎｃｙ  ｖｅｒｓｉｏｎ）、及び前記第１時間周波数リソースにおけるチャネル占有時間（ＣＯＴ、Ｃｈａｎｎｅｌ  Ｏｃｃｕｐａｎｃｙ  Ｔｉｍｅ）共有指示のうちの少なくとも１つを含んでもよいが、それらに限らない。
【００７１】
又は、更に例えば、前記第２サブＵＣＩは、前記第１時間周波数リソースの前記第２サブバンドでの開始シンボル、前記第１時間周波数リソースの前記第２サブバンドでの終了シンボル、前記第２サブバンドにおいて伝送されるＣＢＧ指示、前記第２サブバンドにおいて伝送されるＣＢＧのＮＤＩ、前記第２サブバンドにおいて伝送されるＣＢＧのＲＶ、前記第２サブバンドにおいて伝送されるＣＢＧに対応するＣＲＣ、及び前記第２サブバンドにおけるチャネル占有時間（ＣＯＴ）共有指示のうちの少なくとも１つを含んでもよいが、それらに限らない。
【００７２】
該方式では、送信不可能なサブバンドがある場合、該サブバンドのＵＣＩが正確に復調できず、他の送信可能なサブバンドのＵＣＩは依然として正確に復調でき、それによりサブバンドにおけるアップリンクデータの正確な伝送を確保することができる。
【００７３】
他の具体的な実現過程において、２２０の後で、前記端末装置は更に検出結果に基づいて前記Ｎ個のサブバンドのうちのＫ個のサブバンドが使用可能であることを決定してもよく、１≦Ｋ≦Ｎであり、Ｋが正の整数である。次に、前記端末装置は前記第１時間周波数リソースの前記Ｋ個のサブバンドでのリソースによって前記アップリンクデータを送信し、前記第２時間周波数リソースの前記Ｋ個のサブバンドでのリソースによって前記ＵＣＩを送信してもよい。
【００７４】
該実現過程において、端末装置はＬＢＴのため、Ｎ個のサブバンドのうちのＫ個のサブバンドしか使用できないことを検出したとき、ＵＣＩがすべてのサブバンド即ちＮ個のサブバンドにおいていずれも伝送リソースを有する場合（即ち、Ｍ＝Ｎ）に対して、端末装置はＬＢＴの場合にすべてのサブバンドの伝送チャンスを取得せず、即ちＫ＜Ｎである可能性があるが、各サブバンドにおいていずれもＵＣＩ伝送リソースがあるため、送信可能なサブバンドが１つあれば、該ＵＣＩが正確に復調でき、それによりサブバンドにおけるアップリンクデータの正確な伝送を確保することができる。
【００７５】
１つの具体的な実現過程において、２２０の後で、前記端末装置は更に検出結果に基づいて前記Ｎ個のサブバンドのうちのＫ個のサブバンドが使用可能であることを決定してもよく、Ｍ＜Ｎ、１≦Ｋ＜Ｎであり、Ｋが正の整数である。前記端末装置はＵＣＩが正常に伝送できるように確保することができないため、前記端末装置は前記Ｋ個のサブバンドにおいて前記アップリンクデータと前記ＵＣＩを送信しなくてもよい。
【００７６】
該実現過程において、端末装置はＬＢＴのため、Ｎ個のサブバンドのうちのＫ個のサブバンドしか使用できないことを検出したとき、ＵＣＩが一部のサブバンド即ちＭ個のサブバンドのみにおいて伝送リソースを有する場合（即ち、Ｍ＜Ｎ）に対して、端末装置はすべてのサブバンドの伝送チャンスを取得せず、即ちＫ＜Ｎであることを決定すれば、端末装置はアップリンクデータ及びＵＣＩの伝送を行わなくてもよい。
【００７７】
１つの具体的な実現過程において、２２０の後で、前記端末装置は更に検出結果に基づいて前記Ｎ個のサブバンドのうちのＫ個のサブバンドが使用可能であることを決定してもよく、１≦Ｋ＜Ｎであり、Ｋが正の整数であり、該Ｋ個のサブバンドに該Ｍ個のサブバンドが含まれる。次に、前記端末装置は前記Ｋ個のサブバンドにおいて前記アップリンクデータ及び前記ＵＣＩを送信してもよい。
【００７８】
該実現過程において、端末装置はＬＢＴのため、Ｎ個のサブバンドのうちのＫ個のサブバンドしか使用できないことを検出したとき、ＵＣＩが一部のサブバンド即ちＭ個のサブバンドのみにおいて伝送リソースを有する場合（即ち、Ｍ＜Ｎ）に対して、端末装置は該Ｋ個の使用可能なサブバンドに該Ｍ個のサブバンドが含まれることを決定すれば、端末装置は該Ｍ個のサブバンドにおけるＵＣＩの伝送リソースにおいてＵＣＩの伝送を正常に行ってもよい。このように、該ＵＣＩが正確に復調でき、それによりサブバンドにおけるアップリンクデータの正確な伝送を確保することができる。
【００７９】
なお、衝突しない限り、本願において説明される各実施例及び／又は各実施例の技術的特徴は任意に互いに組み合わせられてもよく、組み合わせて取得した技術案も本願の保護範囲内に含まれるべきである。
【００８０】
本実施例では、端末装置は第１伝送ブロックレートにマッチングして取得したアップリンクデータを伝送するための第１時間周波数リソースと、前記アップリンクデータを復調するためのＵＣＩを伝送するための第２時間周波数リソースとを決定し、前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数である。それにより、前記端末装置は前記Ｎ個のサブバンドのうちの少なくとも１つのサブバンドに対してチャネル検出を行って、検出結果に基づいて前記アップリンクデータ及び前記ＵＣＩの送信を決定することができ、アップリンクデータを復調するためのＵＣＩを伝送する時間周波数リソースは複数のサブバンドを占有したため、ＵＣＩがマッピングされるあるサブバンドがＬＢＴに失敗したため伝送できないことによるアップリンクデータを復調するためのＵＣＩが正確に伝送できないという技術的問題を回避することができ、それによりアップリンクデータを復調するためのＵＣＩが正確に復調される確率を向上させる。
【００８１】
図３Ａに示されるように、図３Ａは本願の実施例に係る他のアップリンク信号の伝送方法３００の模式図である。
【００８２】
３１０、ネットワーク装置は端末装置が第１時間周波数リソースのＮ個のサブバンドのうちのＫ個のサブバンドでのリソースにより送信したアップリンクデータと、第２時間周波数リソースのＫ個のサブバンドでのリソースにより送信したアップリンク制御情報（ＵＣＩ、Ｕｐｌｉｎｋ  Ｃｏｎｔｒｏｌ  Ｉｎｆｏｒｍａｔｉｏｎ）とを受信し、前記第１時間周波数リソースは第１伝送ブロックレートにマッチングして取得したアップリンクデータを伝送することに用いられ、前記第２時間周波数リソースは前記アップリンクデータを復調するための前記ＵＣＩを伝送することに用いられる。
【００８３】
前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数であり、１≦Ｋ≦Ｎであり、Ｋが正の整数である。
【００８４】
選択肢として、本願の実施例では、サブバンドのサイズは端末装置がチャネルを検出する単位帯域幅のサイズと同じであり、又は、サブバンドのサイズは端末装置がチャネルを検出する単位帯域幅の整数倍である。例えば、端末装置がチャネルを検出する単位帯域幅は２０ＭＨｚであると仮定すれば、サブバンドのサイズが２０ＭＨｚであってもよく、４０ＭＨｚ又は６０ＭＨｚ等であってもよく、本実施例は特に制限しない。
【００８５】
理解されるべきように、本願の実施例では、前記第１時間周波数リソースが周波数領域においてＮ個のサブバンドを占有することは、前記第１時間周波数リソースが周波数領域においてＮ個のサブバンドにおけるすべてのリソースを占有し、又は前記第１時間周波数リソースが周波数領域においてＮ個のサブバンドにおける一部のリソースを占有するということであってもよく、本実施例は特に制限しない。
【００８６】
理解されるべきように、本願の実施例では、前記第２時間周波数リソースが周波数領域においてＮ個のサブバンドのうちのＭ個のサブバンドを占有することは、前記第２時間周波数リソースが周波数領域において該Ｍ個のサブバンドにおけるすべてのリソースを占有し、又は前記第２時間周波数リソースが周波数領域において該Ｍ個のサブバンドにおける一部のリソースを占有するということであってもよく、本実施例は特に制限しない。
【００８７】
選択肢として、本願の実施例では、前記アップリンクデータの前記第１時間周波数リソースでの伝送方式はコードブロックグループ（ＣＢＧ、Ｃｏｄｅ  Ｂｌｏｃｋ  Ｇｒｏｕｐ）伝送方式であり、前記第１時間周波数リソースの前記Ｎ個のサブバンドのうちの各サブバンドでのリソースは整数個のＣＢＧを伝送することに用いられる。
【００８８】
選択肢として、本実施例の１つの可能な実現方式では、Ｍ＝Ｎであり、前記第２時間周波数リソースが周波数領域において前記Ｎ個のサブバンドのうちの各サブバンドを占有する。
【００８９】
選択肢として、本実施例の１つの可能な実現方式では、Ｍ＜Ｎであり、前記第２時間周波数リソースが周波数領域において前記Ｎ個のサブバンドのうちの一部のサブバンドを占有する。
【００９０】
１つの具体的な実現過程において、前記第２時間周波数リソースのうちの第１サブ時間周波数リソースは具体的に前記ＵＣＩに含まれるすべての情報を伝送することに用いられてもよい。前記第１サブ時間周波数リソースは前記第２時間周波数リソースの前記Ｍ個のサブバンドのうちの第１サブバンドでのリソースであってもよく、図２Ｂに示される（図２Ｂでは、Ｍ＝Ｎである）。
【００９１】
選択肢として、前記第１サブバンドは前記Ｍ個のサブバンドのうちの１つのサブバンドである。
【００９２】
選択肢として、前記第１サブバンドは前記Ｍ個のサブバンドのうちのいずれか１つのサブバンドである。
【００９３】
選択肢として、前記第２時間周波数リソースの前記Ｍ個のサブバンドのうちの各サブバンドでのリソースはいずれも前記ＵＣＩに含まれるすべての情報を伝送することに用いられる。更に、選択肢として、前記第２時間周波数リソースの前記Ｍ個のサブバンドのうちの各サブバンドでのリソースは、前記ＵＣＩ情報レートにマッチングして取得したＵＣＩデータを繰り返して伝送することに用いられ、又は、前記第２時間周波数リソースの前記Ｍ個のサブバンドのうちの各サブバンドでのリソースは前記ＵＣＩ情報レートにマッチングして取得したＵＣＩデータの異なる冗長バージョンを伝送することに用いられる。例えば、Ｍ＝２であり、サブバンド１は冗長バージョン０のＵＣＩデータを伝送することに用いられ、サブバンド２は冗長バージョン２のＵＣＩデータ等を伝送することに用いられる。選択肢として、ＵＣＩ情報レートにマッチングして取得したＵＣＩデータはＵＣＩが符号化、混合、ビット削除及び変調等の過程を経て取得した第２時間周波数リソースにマッチングするＵＣＩデータを含む。
【００９４】
選択肢として、前記ＵＣＩに含まれるすべての情報は、前記第１伝送ブロックに対応するハイブリッド自動再送要求（ＨＡＲＱ、Ｈｙｂｒｉｄ  Ａｕｔｏｍａｔｉｃ  Ｒｅｐｅａｔ  ｒｅＱｕｅｓｔ）識別子、前記端末装置の識別子、前記第１伝送ブロックに対応する巡回冗長検査（ＣＲＣ、Ｃｙｃｌｉｃ  Ｒｅｄｕｎｄａｎｃｙ  Ｃｈｅｃｋ）、前記第１時間周波数リソースの開始シンボル、前記第１時間周波数リソースの終了シンボル、前記第１時間周波数リソースにおいて伝送されるコードブロックグループ（ＣＢＧ、Ｃｏｄｅ  Ｂｌｏｃｋ  Ｇｒｏｕｐ）指示、前記第１伝送ブロックの新規データ指示子（ＮＤＩ、Ｎｅｗ  ｄａｔａ  ｉｎｄｉｃａｔｏｒ）、前記第１伝送ブロックの冗長バージョン（ＲＶ、Ｒｅｄｕｎｄａｎｃｙ  ｖｅｒｓｉｏｎ）、及び前記第１時間周波数リソースにおけるチャネル占有時間（ＣＯＴ、Ｃｈａｎｎｅｌ  Ｏｃｃｕｐａｎｃｙ  Ｔｉｍｅ）共有指示のうちの少なくとも１つを含んでもよいが、それらに限らない。
【００９５】
選択肢として、本願の実施例では、前記ＣＯＴ共有指示は前記端末装置のチャネルへのアクセスに成功した後の１回伝送チャンスにおけるリソースが、他の装置による通信伝送に使用されるかどうかを示すことに用いられてもよい。例えば、前記ＣＯＴ共有指示が共有可能を示す場合、前記端末装置のチャネルへのアクセスに成功した後の１回伝送チャンスにおけるリソースは他の通信装置による通信伝送に使用されてもよく、他の通信装置はネットワーク装置であってもよく、前記端末装置と異なる他の端末装置等であってもよく、本願の実施例は制限しない。
【００９６】
該方式では、送信可能なサブバンドが１つあれば、該ＵＣＩが正確に復調でき、それによりサブバンドにおけるアップリンクデータの正確な伝送を確保することができる。各サブバンドにおいていずれもすべてのサブバンドのＵＣＩを示す必要があるため、シグナリングオーバーヘッドが比較的大きい。
【００９７】
他の具体的な実現過程において、前記第２時間周波数リソースの前記Ｍ個のサブバンドのうちのｉ番目のサブバンドでのリソースは具体的に、前記ＵＣＩに含まれる（ｋ＊Ｍ＋ｉ）番目の変調シンボルを伝送することに用いられてもよく、１≦ｉ≦Ｍ、ｋ≧０であり、ｉとｋがいずれも整数である。
【００９８】
例えば、ＵＣＩが４つのサブバンドにマッピングされる場合を例とし、マッピングするとき、変調シンボル１がサブバンド１、変調シンボル２がサブバンド２、変調シンボル３がサブバンド３、変調シンボル４がサブバンド４、変調シンボル５がサブバンド１、変調シンボル６がサブバンド２、変調シンボル７がサブバンド３、変調シンボル８がサブバンド４に位置し、これによって類推する。
【００９９】
他の具体的な実現過程において、前記第２時間周波数リソースの前記Ｍ個のサブバンドのうちのｐ番目のサブバンドでのリソースは具体的に、前記ＵＣＩに含まれる（ｋ＊Ｍ＋ｐ）番目のビットを伝送することに用いられてもよく、１≦ｐ≦Ｍ、ｋ≧０であり、ｐとｋがいずれも整数である。
【０１００】
例えば、ＵＣＩが４つのサブバンドにマッピングされる場合を例とし、マッピングするとき、１、５、９、１３、…、（ｋ＊Ｍ＋１）番目のビットがサブバンド１に位置し、２、６、１０、１４、…、（ｋ＊Ｍ＋２）番目のビットがサブバンド２に位置し、３、７、１１、１５、…、（ｋ＊Ｍ＋３）番目のビットがサブバンド３に位置し、４、８、１２、１６、…、（ｋ＊Ｍ＋４）番目のビットがサブバンド４に位置する。変調次数が２である場合、サブバンド１における１番目の変調シンボルは１番目のビットと５番目のビットを含み、２番目の変調シンボルは９番目のビットと１３番目のビットを含み、サブバンド２における１番目の変調シンボルは２番目のビットと６番目のビットを含み、２番目の変調シンボルは１０番目のビットと１４番目のビットを含み、これによって類推する。
【０１０１】
選択肢として、本実施例の１つの可能な実現方式では、前記第２時間周波数リソースのサイズは前記ＵＣＩのビットレートによって決定されてもよい。
【０１０２】
理解されるべきように、ビットレートが低い場合、ＵＣＩがマッピングされるサブバンドはＬＢＴに失敗したため伝送できなくても、他のサブバンドにおいてマッピングされるＵＣＩに基づいて正確に復調する確率がある。
【０１０３】
選択肢として、本実施例の１つの可能な実現方式では、前記ＵＣＩのビットレートは前記Ｍの値によって決定されてもよい。
【０１０４】
例えば、Ｍ＝１の場合、ビットレートはｘと記される基準値であってもよい。Ｍ＝２の場合、ビットレートがｘ／２であってもよい。Ｍ＝３の場合、ビットレートがｘ／３であってもよい。Ｍ＝４の場合、ビットレートがｘ／４であってもよい。制限ではなく例示的なものとして、前記ｘの値が１／２であってもよい。
【０１０５】
選択肢として、本実施例の１つの可能な実現方式では、前記ＵＣＩのビットレートは前記アップリンクデータのビットレートによって決定されてもよい。
【０１０６】
選択肢として、本実施例の１つの可能な実現方式では、前記ＵＣＩのビットレートは前記ネットワーク装置が設定したもの又はプロトコルにより決められたものであってもよい。
【０１０７】
１つの具体的な実現過程において、前記ＵＣＩのビットレートは標準規範において規定したものであってもよい。
【０１０８】
他の具体的な実現過程において、前記ＵＣＩのビットレートは前記ネットワーク装置が指示情報によって前記端末装置に送信したものであってもよい。
【０１０９】
前記指示情報は物理層シグナリングであってもよく、媒体アクセス制御（ＭＡＣ、Ｍｅｄｉａ  Ａｃｃｅｓｓ  Ｃｏｎｔｒｏｌ）の制御要素（ＣＥ、Ｃｏｎｔｒｏｌ  Ｅｌｅｍｅｎｔ）シグナリングであってもよく、無線リソース制御（ＲＲＣ、Ｒａｄｉｏ  Ｒｅｓｏｕｒｃｅ  Ｃｏｎｔｒｏｌ）シグナリングであってもよく、本実施例は特に制限しない。
【０１１０】
指示情報が物理層シグナリングである場合、前記指示情報は物理層シグナリングにより明示的又は暗示的に示されるものであってもよい。
【０１１１】
例えば、前記ネットワーク装置はダウンリンク制御情報（ＤＣＩ、Ｄｏｗｎｌｉｎｋ  ｃｏｎｔｒｏｌ  ｉｎｆｏｒｍａｔｉｏｎ）によって前記端末装置に前記ＵＣＩのビットレートを示す（又は、指定されたビットレートに対する前記ＵＣＩのビットレートの倍数関係を示す）。
【０１１２】
理解されるように、前記指示情報は更にＲＲＣシグナリングと物理層シグナリングの組み合わせであってもよい。例えば、ネットワーク装置は少なくとも２種類のＵＣＩのビットレートの設定を設定して、ＤＣＩによって端末装置が１回アップリンク伝送において該少なくとも２種類の設定のうちのどの種類を使用すべきかを示す。
【０１１３】
選択肢として、本実施例の１つの可能な実現方式では、前記第２時間周波数リソースのサイズは前記アップリンクデータのビットレートによって決定されてもよい。
【０１１４】
他の具体的な実現過程において、前記第２時間周波数リソースのうちの第２サブ時間周波数リソースは具体的に前記ＵＣＩに含まれる第１サブＵＣＩと第２サブＵＣＩを伝送することに用いられてもよく、前記第２サブ時間周波数リソースは前記第２時間周波数リソースの前記Ｍ個のサブバンドのうちの第２サブバンドでのリソースであり、前記第１サブＵＣＩは前記アップリンクデータを復調するための復調情報を含み、前記第２サブＵＣＩは前記第２サブバンドにおける前記アップリンクデータを復調するための復調情報を含む。
【０１１５】
又は、前記第１サブＵＣＩは前記アップリンクデータを復調するための共有復調情報を含み、前記第２サブＵＣＩは前記第２サブバンドにおける前記アップリンクデータを復調するためのサブバンド専有復調情報を含む。
【０１１６】
選択肢として、前記第２サブバンドは前記Ｍ個のサブバンドのうちの１つのサブバンドである。
【０１１７】
選択肢として、前記第２サブバンドは前記Ｍ個のサブバンドのうちのいずれか１つのサブバンドである。
【０１１８】
例えば、前記第１サブＵＣＩは、前記第１伝送ブロックに対応するハイブリッド自動再送要求（ＨＡＲＱ）識別子、前記端末装置の識別子、前記第１伝送ブロックに対応する巡回冗長検査（ＣＲＣ）、前記第１時間周波数リソースの開始シンボル、前記第１時間周波数リソースの終了シンボル、前記第１時間周波数リソースにおいて伝送されるコードブロックグループ（ＣＢＧ、Ｃｏｄｅ  Ｂｌｏｃｋ  Ｇｒｏｕｐ）指示、前記第１伝送ブロックの新規データ指示子（ＮＤＩ、Ｎｅｗ  ｄａｔａ  ｉｎｄｉｃａｔｏｒ）、前記第１伝送ブロックの冗長バージョン（ＲＶ、Ｒｅｄｕｎｄａｎｃｙ  ｖｅｒｓｉｏｎ）、及び前記第１時間周波数リソースにおけるチャネル占有時間（ＣＯＴ、Ｃｈａｎｎｅｌ  Ｏｃｃｕｐａｎｃｙ  Ｔｉｍｅ）共有指示のうちの少なくとも１つを含んでもよいが、それらに限らない。
【０１１９】
又は、更に例えば、前記第２サブＵＣＩは、前記第１時間周波数リソースの前記第２サブバンドでの開始シンボル、前記第１時間周波数リソースの前記第２サブバンドでの終了シンボル、前記第２サブバンドにおいて伝送されるＣＢＧ指示、前記第２サブバンドにおいて伝送されるＣＢＧのＮＤＩ、前記第２サブバンドにおいて伝送されるＣＢＧのＲＶ、前記第２サブバンドにおいて伝送されるＣＢＧに対応するＣＲＣ、及び前記第２サブバンドにおけるチャネル占有時間（ＣＯＴ）共有指示のうちの少なくとも１つを含んでもよいが、それらに限らない。
【０１２０】
該方式では、送信不可能なサブバンドがあれば、該サブバンドのＵＣＩが正確に復調できず、他の送信可能なサブバンドのＵＣＩが依然として正確に復調でき、それによりサブバンドにおけるアップリンクデータの正確な伝送を確保することができる。本実施例では、端末装置は第１伝送ブロックレートにマッチングして取得したアップリンクデータを伝送するための第１時間周波数リソースと、前記アップリンクデータを復調するためのＵＣＩを伝送するための第２時間周波数リソースとを決定してもよい。前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数である。第１時間周波数リソースと第２時間周波数リソースを決定した後、前記端末装置は前記Ｎ個のサブバンドのうちの少なくとも１つのサブバンドに対してチャネル検出を行って、検出結果に基づいて前記アップリンクデータ及び前記ＵＣＩの送信を決定してもよい。
【０１２１】
選択肢として、本実施例の１つの可能な実現方式では、前記端末装置は更に検出結果に基づいて前記Ｎ個のサブバンドのうちのＫ個のサブバンドが使用可能であることを決定してもよく、１≦Ｋ≦Ｎであり、Ｋが正の整数である。次に、前記端末装置は前記第１時間周波数リソースの前記Ｋ個のサブバンドでのリソースによって前記アップリンクデータを送信し、前記第２時間周波数リソースの前記Ｋ個のサブバンドでのリソースによって前記ＵＣＩを送信してもよい。
【０１２２】
該実現過程において、端末装置はＬＢＴのため、Ｎ個のサブバンドのうちのＫ個のサブバンドしか使用できないことを検出したとき、ＵＣＩがすべてのサブバンド即ちＮ個のサブバンドにおいていずれも伝送リソースを有する場合（即ち、Ｍ＝Ｎ）に対して、端末装置がＬＢＴの場合にすべてのサブバンドの伝送チャンスを取得せず、即ちＫ＜Ｎである可能性があるが、各サブバンドにおいていずれもＵＣＩ伝送リソースがあるため、送信可能なサブバンドが１つあれば、該ＵＣＩが正確に復調でき、それによりサブバンドにおけるアップリンクデータの正確な伝送を確保することができる。
【０１２３】
該実現過程において、端末装置はＬＢＴのため、Ｎ個のサブバンドのうちのＫ個のサブバンドしか使用できないことを検出したとき、ＵＣＩが一部のサブバンド即ちＭ個のサブバンドのみにおいて伝送リソースを有する場合（即ち、Ｍ＜Ｎ）に対して、端末装置は該Ｋ個の使用可能なサブバンドに該Ｍ個のサブバンドが含まれることを決定すれば、端末装置はＵＣＩの伝送リソースにおいてＵＣＩの伝送を正常に行ってもよい。このように、該ＵＣＩが正確に復調でき、それによりサブバンドにおけるアップリンクデータの正確な伝送を確保することができる。
【０１２４】
選択肢として、３１０の前に、前記ネットワーク装置は前記Ｎ個のサブバンドのうちのＫ個のサブバンドが前記端末装置の使用可能なサブバンド（即ち、前記端末装置が前記アップリンクデータ及び前記ＵＣＩを伝送するためのサブバンド）であることを決定し、１≦Ｋ≦Ｎであり、Ｋが正の整数である。例えば、前記ネットワーク装置は前記Ｎ個のサブバンドのうちの各サブバンドにおける信号を検出することにより、該サブバンドが前記端末装置の使用可能なサブバンドであるかどうかを決定する。
【０１２５】
制限ではなく例示的なものとして、前記ネットワーク装置は前記Ｎ個のサブバンドのうちの各サブバンドにおける復調参照信号又は各サブバンドにおけるＵＣＩをブラインド検出してもよい。前記ネットワーク装置はあるサブバンドに前記端末装置の送信した復調参照信号又はＵＣＩがあることを検出した場合、該ネットワーク装置は該サブバンドが前記端末装置の使用可能なサブバンドであることを決定し、又は、前記ネットワーク装置はあるサブバンドにおいて前記端末装置の送信した復調参照信号又はＵＣＩを検出しない場合、該ネットワーク装置は該サブバンドが前記端末装置の使用不可能なサブバンドであることを決定する。復調参照信号は前記ＵＣＩ又は前記アップリンクデータを復調するための参照信号である。
【０１２６】
なお、衝突しない限り、本願において説明される各実施例及び／又は各実施例の技術的特徴は任意に互いに組み合わせられてもよく、組み合わせて取得した技術案も本願の保護範囲内に含まれるべきである。
【０１２７】
本実施例では、ネットワーク装置は端末装置が第１時間周波数リソースのＮ個のサブバンドのうちのＫ個のサブバンドでのリソースにより送信したアップリンクデータと、第２時間周波数リソースのＫ個のサブバンドでのリソースにより送信したＵＣＩとを受信し、前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数であり、アップリンクデータを復調するためのＵＣＩを伝送する時間周波数リソースが複数のサブバンドを占有したため、ＵＣＩがマッピングされるあるサブバンドがＬＢＴに失敗したため伝送できないことによるアップリンクデータを復調するためのＵＣＩが正確に伝送できないという技術的問題を回避することができ、それによりアップリンクデータを復調するためのＵＣＩが正確に復調される確率を向上させる。
【０１２８】
図３Ｂに示されるように、図３Ｂは本願の実施例に係る他のアップリンク信号の伝送方法３０１の模式図である。
【０１２９】
３２０、ネットワーク装置は端末装置が第１時間周波数リソースにより送信したアップリンクデータと、第２時間周波数リソースにより送信したアップリンク制御情報（ＵＣＩ、Ｕｐｌｉｎｋ  Ｃｏｎｔｒｏｌ  Ｉｎｆｏｒｍａｔｉｏｎ）とを受信し、前記第１時間周波数リソースは第１伝送ブロックレートにマッチングして取得したアップリンクデータを伝送することに用いられ、前記第２時間周波数リソースは前記アップリンクデータを復調するための前記ＵＣＩを伝送することに用いられる。
【０１３０】
前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、１≦Ｍ＜Ｎであり、ＮとＭがいずれも正の整数である。
【０１３１】
選択肢として、本願の実施例では、サブバンドのサイズは端末装置がチャネルを検出する単位帯域幅のサイズと同じであり、又は、サブバンドのサイズは端末装置がチャネルを検出する単位帯域幅の整数倍である。例えば、端末装置がチャネルを検出する単位帯域幅は２０ＭＨｚであると仮定すれば、サブバンドのサイズが２０ＭＨｚであってもよく、４０ＭＨｚ又は６０ＭＨｚ等であってもよく、本実施例は特に制限しない。
【０１３２】
理解されるべきように、本願の実施例では、前記第１時間周波数リソースが周波数領域においてＮ個のサブバンドを占有することは、前記第１時間周波数リソースが周波数領域においてＮ個のサブバンドにおけるすべてのリソースを占有し、又は前記第１時間周波数リソースが周波数領域においてＮ個のサブバンドにおける一部のリソースを占有するということであってもよく、本実施例は特に制限しない。
【０１３３】
理解されるべきように、本願の実施例では、前記第２時間周波数リソースが周波数領域においてＮ個のサブバンドのうちのＭ個のサブバンドを占有することは、前記第２時間周波数リソースが周波数領域において該Ｍ個のサブバンドにおけるすべてのリソースを占有し、又は前記第２時間周波数リソースが周波数領域において該Ｍ個のサブバンドにおける一部のリソースを占有するということであってもよく、本実施例は特に制限しない。
【０１３４】
選択肢として、本願の実施例では、前記アップリンクデータの前記第１時間周波数リソースでの伝送方式はコードブロックグループ（ＣＢＧ、Ｃｏｄｅ  Ｂｌｏｃｋ  Ｇｒｏｕｐ）伝送方式であり、前記第１時間周波数リソースの前記Ｎ個のサブバンドのうちの各サブバンドでのリソースは整数個のＣＢＧを伝送することに用いられる。
【０１３５】
選択肢として、本実施例の１つの可能な実現方式では、Ｍ＝Ｎであり、前記第２時間周波数リソースが周波数領域において前記Ｎ個のサブバンドのうちの各サブバンドを占有する。
【０１３６】
選択肢として、本実施例の１つの可能な実現方式では、Ｍ＜Ｎであり、前記第２時間周波数リソースが周波数領域において前記Ｎ個のサブバンドのうちの一部のサブバンドを占有する。
【０１３７】
１つの具体的な実現過程において、前記第２時間周波数リソースのうちの第１サブ時間周波数リソースは具体的に前記ＵＣＩに含まれるすべての情報を伝送することに用いられてもよい。前記第１サブ時間周波数リソースは前記第２時間周波数リソースの前記Ｍ個のサブバンドのうちの第１サブバンドでのリソースであってもよく、図２Ｂに示される（図２Ｂでは、Ｍ＝Ｎである）。
【０１３８】
選択肢として、前記第１サブバンドは前記Ｍ個のサブバンドのうちの１つのサブバンドである。
【０１３９】
選択肢として、前記第１サブバンドは前記Ｍ個のサブバンドのうちのいずれか１つのサブバンドである。
【０１４０】
選択肢として、前記第２時間周波数リソースの前記Ｍ個のサブバンドのうちの各サブバンドでのリソースはいずれも前記ＵＣＩに含まれるすべての情報を伝送することに用いられる。更に、選択肢として、前記第２時間周波数リソースの前記Ｍ個のサブバンドのうちの各サブバンドでのリソースは前記ＵＣＩ情報レートにマッチングして取得したＵＣＩデータを繰り返して伝送することに用いられ、又は、前記第２時間周波数リソースの前記Ｍ個のサブバンドのうちの各サブバンドでのリソースは前記ＵＣＩ情報レートにマッチングして取得したＵＣＩデータの異なる冗長バージョンを伝送することに用いられる。例えば、Ｍ＝２であり、サブバンド１は冗長バージョン０のＵＣＩデータを伝送することに用いられ、サブバンド２は冗長バージョン２のＵＣＩデータ等を伝送することに用いられる。選択肢として、ＵＣＩ情報レートにマッチングして取得したＵＣＩデータはＵＣＩが符号化、混合、ビット削除及び変調等の過程を経て取得した第２時間周波数リソースにマッチングするＵＣＩデータを含む。
【０１４１】
選択肢として、前記ＵＣＩに含まれるすべての情報は、前記第１伝送ブロックに対応するハイブリッド自動再送要求（ＨＡＲＱ、Ｈｙｂｒｉｄ  Ａｕｔｏｍａｔｉｃ  Ｒｅｐｅａｔ  ｒｅＱｕｅｓｔ）識別子、前記端末装置の識別子、前記第１伝送ブロックに対応する巡回冗長検査（ＣＲＣ、Ｃｙｃｌｉｃ  Ｒｅｄｕｎｄａｎｃｙ  Ｃｈｅｃｋ）、前記第１時間周波数リソースの開始シンボル、前記第１時間周波数リソースの終了シンボル、前記第１時間周波数リソースにおいて伝送されるコードブロックグループ（ＣＢＧ、Ｃｏｄｅ  Ｂｌｏｃｋ  Ｇｒｏｕｐ）指示、前記第１伝送ブロックの新規データ指示子（ＮＤＩ、Ｎｅｗ  ｄａｔａ  ｉｎｄｉｃａｔｏｒ）、前記第１伝送ブロックの冗長バージョン（ＲＶ、Ｒｅｄｕｎｄａｎｃｙ  ｖｅｒｓｉｏｎ）、及び前記第１時間周波数リソースにおけるチャネル占有時間（ＣＯＴ、Ｃｈａｎｎｅｌ  Ｏｃｃｕｐａｎｃｙ  Ｔｉｍｅ）共有指示のうちの少なくとも１つを含んでもよいが、それらに限らない。
【０１４２】
選択肢として、本願の実施例では、前記ＣＯＴ共有指示は前記端末装置のチャネルへのアクセスに成功した後の１回伝送チャンスにおけるリソースが、他の装置による通信伝送に使用されるかどうかを示すことに用いられてもよい。例えば、前記ＣＯＴ共有指示が共有可能を示す場合、前記端末装置のチャネルへのアクセスに成功した後の１回伝送チャンスにおけるリソースは他の通信装置による通信伝送に使用されてもよく、他の通信装置はネットワーク装置であってもよく、前記端末装置と異なる他の端末装置等であってもよく、本願の実施例は制限しない。
【０１４３】
他の具体的な実現過程において、前記第２時間周波数リソースの前記Ｍ個のサブバンドのうちのｉ番目のサブバンドでのリソースは具体的に前記ＵＣＩに含まれる（ｋ＊Ｍ＋ｉ）番目の変調シンボルを伝送することに用いられてもよく、１≦ｉ≦Ｍ、ｋ≧０であり、ｉとｋがいずれも整数である。
【０１４４】
例えば、ＵＣＩが４つのサブバンドにマッピングされる場合を例とし、マッピングするとき、変調シンボル１がサブバンド１、変調シンボル２がサブバンド２、変調シンボル３がサブバンド３、変調シンボル４がサブバンド４、変調シンボル５がサブバンド１、変調シンボル６がサブバンド２、変調シンボル７がサブバンド３、変調シンボル８がサブバンド４に位置し、これによって類推する。
【０１４５】
他の具体的な実現過程において、前記第２時間周波数リソースの前記Ｍ個のサブバンドのうちのｐ番目のサブバンドでのリソースは具体的に前記ＵＣＩに含まれる（ｋ＊Ｍ＋ｐ）番目のビットを伝送することに用いられてもよく、１≦ｐ≦Ｍ、ｋ≧０であり、ｐとｋがいずれも整数である。
【０１４６】
例えば、ＵＣＩが４つのサブバンドにマッピングされる場合を例とし、マッピングするとき、１、５、９、１３、…、（ｋ＊Ｍ＋１）番目のビットがサブバンド１に位置し、２、６、１０、１４、…、（ｋ＊Ｍ＋２）番目のビットがサブバンド２に位置し、３、７、１１、１５、…、（ｋ＊Ｍ＋３）番目のビットがサブバンド３に位置し、４、８、１２、１６、…、（ｋ＊Ｍ＋４）番目のビットがサブバンド４に位置する。変調次数が２である場合、サブバンド１における１番目の変調シンボルは１番目のビットと５番目のビットを含み、２番目の変調シンボルは９番目のビットと１３番目のビットを含み、サブバンド２における１番目の変調シンボルは２番目のビットと６番目のビットを含み、２番目の変調シンボルは１０番目のビットと１４番目のビットを含み、これによって類推する。
【０１４７】
選択肢として、本実施例の１つの可能な実現方式では、前記第２時間周波数リソースのサイズは前記ＵＣＩのビットレートによって決定されてもよい。
【０１４８】
理解されるべきように、ビットレートが低い場合、ＵＣＩがマッピングされるサブバンドはＬＢＴに失敗したため伝送できなくても、他のサブバンドにおいてマッピングされるＵＣＩに基づいて正確に復調する確率がある。
【０１４９】
選択肢として、本実施例の１つの可能な実現方式では、前記ＵＣＩのビットレートは前記Ｍの値によって決定されてもよい。
【０１５０】
例えば、Ｍ＝１の場合、ビットレートはｘと記される基準値であってもよい。Ｍ＝２の場合、ビットレートがｘ／２であってもよい。Ｍ＝３の場合、ビットレートがｘ／３であってもよい。Ｍ＝４の場合、ビットレートがｘ／４であってもよい。制限ではなく例示的なものとして、前記ｘの値が１／２であってもよい。
【０１５１】
選択肢として、本実施例の１つの可能な実現方式では、前記ＵＣＩのビットレートは前記アップリンクデータのビットレートによって決定されてもよい。
【０１５２】
選択肢として、本実施例の１つの可能な実現方式では、前記ＵＣＩのビットレートはネットワーク装置が設定したもの又はプロトコルにより決められたものであってもよい。
【０１５３】
１つの具体的な実現過程において、前記ＵＣＩのビットレートは標準規範において規定したものであってもよい。
【０１５４】
他の具体的な実現過程において、前記ＵＣＩのビットレートは前記ネットワーク装置が指示情報によって前記端末装置に送信したものであってもよい。
【０１５５】
前記指示情報は物理層シグナリングであってもよく、媒体アクセス制御（ＭＡＣ、Ｍｅｄｉａ  Ａｃｃｅｓｓ  Ｃｏｎｔｒｏｌ）の制御要素（ＣＥ、Ｃｏｎｔｒｏｌ  Ｅｌｅｍｅｎｔ）シグナリングであってもよく、無線リソース制御（ＲＲＣ、Ｒａｄｉｏ  Ｒｅｓｏｕｒｃｅ  Ｃｏｎｔｒｏｌ）シグナリングであってもよく、本実施例は特に制限しない。
【０１５６】
指示情報が物理層シグナリングである場合、前記指示情報は物理層シグナリングにより明示的又は暗示的に示されるものであってもよい。
【０１５７】
例えば、前記ネットワーク装置はダウンリンク制御情報（ＤＣＩ、Ｄｏｗｎｌｉｎｋ  ｃｏｎｔｒｏｌ  ｉｎｆｏｒｍａｔｉｏｎ）によって前記端末装置に前記ＵＣＩのビットレートを示す（又は、指定されたビットレートに対する前記ＵＣＩのビットレートの倍数関係を示す）。
【０１５８】
理解されるように、前記指示情報は更にＲＲＣシグナリングと物理層シグナリングの組み合わせであってもよい。例えば、ネットワーク装置は少なくとも２種類のＵＣＩのビットレートの設定を設定して、ＤＣＩによって端末装置が１回アップリンク伝送において該少なくとも２種類の設定のうちのどの種類を使用すべきかを示す。
【０１５９】
選択肢として、本実施例の１つの可能な実現方式では、前記第２時間周波数リソースのサイズは前記アップリンクデータのビットレートによって決定されてもよい。
【０１６０】
他の具体的な実現過程において、前記第２時間周波数リソースのうちの第２サブ時間周波数リソースは具体的に前記ＵＣＩに含まれる第１サブＵＣＩと第２サブＵＣＩを伝送することに用いられてもよく、前記第２サブ時間周波数リソースは前記第２時間周波数リソースの前記Ｍ個のサブバンドのうちの第２サブバンドでのリソースであり、前記第１サブＵＣＩは前記アップリンクデータを復調するための復調情報を含み、前記第２サブＵＣＩは前記第２サブバンドにおける前記アップリンクデータを復調するための復調情報を含む。
【０１６１】
又は、前記第１サブＵＣＩは前記アップリンクデータを復調するための共有復調情報を含み、前記第２サブＵＣＩは前記第２サブバンドにおける前記アップリンクデータを復調するためのサブバンド専有復調情報を含む。
【０１６２】
選択肢として、前記第２サブバンドは前記Ｍ個のサブバンドのうちの１つのサブバンドである。
【０１６３】
選択肢として、前記第２サブバンドは前記Ｍ個のサブバンドのうちのいずれか１つのサブバンドである。
【０１６４】
例えば、前記第１サブＵＣＩは、前記第１伝送ブロックに対応するハイブリッド自動再送要求（ＨＡＲＱ）識別子、前記端末装置の識別子、前記第１伝送ブロックに対応する巡回冗長検査（ＣＲＣ）、前記第１時間周波数リソースの開始シンボル、前記第１時間周波数リソースの終了シンボル、前記第１時間周波数リソースにおいて伝送されるコードブロックグループ（ＣＢＧ、Ｃｏｄｅ  Ｂｌｏｃｋ  Ｇｒｏｕｐ）指示、前記第１伝送ブロックの新規データ指示子（ＮＤＩ、Ｎｅｗ  ｄａｔａ  ｉｎｄｉｃａｔｏｒ）、前記第１伝送ブロックの冗長バージョン（ＲＶ、Ｒｅｄｕｎｄａｎｃｙ  ｖｅｒｓｉｏｎ）、及び前記第１時間周波数リソースにおけるチャネル占有時間（ＣＯＴ、Ｃｈａｎｎｅｌ  Ｏｃｃｕｐａｎｃｙ  Ｔｉｍｅ）共有指示のうちの少なくとも１つを含んでもよいが、それらに限らない。
【０１６５】
又は、更に例えば、前記第２サブＵＣＩは、前記第１時間周波数リソースの前記第２サブバンドでの開始シンボル、前記第１時間周波数リソースの前記第２サブバンドでの終了シンボル、前記第２サブバンドにおいて伝送されるＣＢＧ指示、前記第２サブバンドにおいて伝送されるＣＢＧのＮＤＩ、前記第２サブバンドにおいて伝送されるＣＢＧのＲＶ、前記第２サブバンドにおいて伝送されるＣＢＧに対応するＣＲＣ、及び前記第２サブバンドにおけるチャネル占有時間（ＣＯＴ）共有指示のうちの少なくとも１つを含んでもよいが、それらに限らない。
【０１６６】
本実施例では、端末装置は第１伝送ブロックレートにマッチングして取得したアップリンクデータを伝送するための第１時間周波数リソースと、前記アップリンクデータを復調するためのＵＣＩを伝送するための第２時間周波数リソースとを決定してもよい。前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数である。第１時間周波数リソースと第２時間周波数リソースを決定した後、前記端末装置は前記Ｎ個のサブバンドのうちの少なくとも１つのサブバンドに対してチャネル検出を行って、検出結果に基づいて前記アップリンクデータ及び前記ＵＣＩの送信を決定してもよい。
【０１６７】
１つの具体的な実現過程において、第１時間周波数リソースと第２時間周波数リソースを決定した後、前記端末装置は検出結果に基づいて前記Ｎ個のサブバンドのうちのＫ個のサブバンドが使用可能であることを決定してもよく、１≦Ｋ＜Ｎであり、Ｋが正の整数である。前記端末装置はＵＣＩが正常に伝送されるように確保できないため、前記端末装置は前記Ｋ個のサブバンドにおいて前記アップリンクデータと前記ＵＣＩを送信しなくてもよい。
【０１６８】
該実現過程において、端末装置はＬＢＴのため、Ｎ個のサブバンドのうちのＫ個のサブバンドしか使用できないことを検出したとき、ＵＣＩが一部のサブバンド即ちＭ個のサブバンドのみにおいて伝送リソースを有する場合（即ち、Ｍ＜Ｎ）に対して、端末装置はすべてのサブバンドの伝送チャンスを取得せず、即ちＫ＜Ｎであることを決定すれば、端末装置はアップリンクデータ及びＵＣＩの伝送を行わなくてもよい。
【０１６９】
選択肢として、３２０の前に、前記ネットワーク装置は前記Ｎ個のサブバンドのうちのＫ個のサブバンドが前記端末装置の使用可能なサブバンド（即ち、前記端末装置が前記アップリンクデータ及び前記ＵＣＩを伝送するためのサブバンド）であることを決定し、１≦Ｋ≦Ｎであり、Ｋが正の整数である。例えば、前記ネットワーク装置は前記Ｎ個のサブバンドのうちの各サブバンドにおける信号を検出することにより、該サブバンドが前記端末装置の使用可能なサブバンドであるかどうかを決定してもよい。
【０１７０】
制限ではなく例示的なものとして、前記ネットワーク装置は前記Ｎ個のサブバンドのうちの各サブバンドにおける復調参照信号又は各サブバンドにおけるＵＣＩをブラインド検出してもよい。前記ネットワーク装置はあるサブバンドに前記端末装置の送信した復調参照信号又はＵＣＩがあることを検出した場合、該ネットワーク装置は該サブバンドが前記端末装置の使用可能なサブバンドであることを決定し、又は、前記ネットワーク装置はあるサブバンドにおいて前記端末装置の送信した復調参照信号又はＵＣＩを検出しない場合、該ネットワーク装置は該サブバンドが前記端末装置の使用不可能なサブバンドであることを決定する。復調参照信号は前記ＵＣＩ又は前記アップリンクデータを復調するための参照信号である。
【０１７１】
選択肢として、３２０の前に、前記ネットワーク装置は前記Ｎ個のサブバンドが前記端末装置の使用可能なサブバンド（即ち、前記端末装置が前記アップリンクデータ及び前記ＵＣＩを伝送するためのサブバンド）であることを決定する。例えば、前記ネットワーク装置は前記Ｎ個のサブバンドにおいて伝送される信号を検出することにより、該Ｎ個のサブバンドが前記端末装置の使用可能なサブバンドであるかどうかを決定してもよい。
【０１７２】
選択肢として、前記ネットワーク装置は前記Ｎ個のサブバンドがいずれも前記端末装置の使用可能なサブバンドであることを決定すれば、前記ネットワーク装置はステップ３２０を行う。
【０１７３】
選択肢として、前記ネットワーク装置は前記Ｎ個のサブバンドのうちの少なくとも１つのサブバンドが前記端末装置の使用不可能なサブバンドであることを決定すれば、前記ネットワーク装置は前記アップリンクデータ又は前記ＵＣＩの受信を行わない。
【０１７４】
なお、衝突しない限り、本願において説明される各実施例及び／又は各実施例の技術的特徴は任意に互いに組み合わせられてもよく、組み合わせて取得した技術案も本願の保護範囲内に含まれるべきである。
【０１７５】
本実施例では、ネットワーク装置は端末装置が第１時間周波数リソースにより送信したアップリンクデータと、第２時間周波数リソースにより送信したＵＣＩとを受信し、前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数である。端末装置はＵＣＩがマッピングされるサブバンドのチャネル使用権を取得した場合のみにアップリンク伝送を行うため、アップリンクデータを復調するためのＵＣＩが正確に伝送できないという技術的問題を解決し、それによりアップリンクデータを復調するためのＵＣＩが正確に復調される確率を向上させる。
【０１７６】
図４に示されるように、図４は本願の実施例に係る端末装置４００の模式的なブロック図である。本実施例は図２Ａに対応する実施例における方法を実行するための端末装置４００を提供する。
【０１７７】
具体的に、該端末装置４００は図２Ａに対応する実施例における方法を実行するための機能モジュールを備える。端末装置４００は決定ユニット４１０及び送信ユニット４２０を備えてもよい。
【０１７８】
決定ユニット４１０は、第１伝送ブロックレートにマッチングして取得したアップリンクデータを伝送するための第１時間周波数リソースと、前記アップリンクデータを復調するためのアップリンク制御情報（ＵＣＩ）を伝送するための第２時間周波数リソースとを決定することに用いられ、
前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数であり、
送信ユニット４２０は、前記Ｎ個のサブバンドのうちの少なくとも１つのサブバンドに対してチャネル検出を行って、検出結果に基づいて前記アップリンクデータ及び前記ＵＣＩの送信を決定することに用いられる。
【０１７９】
選択肢として、本実施例の１つの可能な実現方式では、Ｍ＝Ｎであり、前記第２時間周波数リソースが周波数領域において前記Ｎ個のサブバンドのうちの各サブバンドを占有する。
【０１８０】
選択肢として、本実施例の１つの可能な実現方式では、Ｍ＜Ｎであり、前記第２時間周波数リソースが周波数領域において前記Ｎ個のサブバンドのうちの一部のサブバンドを占有する。
【０１８１】
１つの具体的な実現過程において、前記第２時間周波数リソースのうちの第１サブ時間周波数リソースは具体的に前記ＵＣＩに含まれるすべての情報を伝送することに用いられてもよい。前記第１サブ時間周波数リソースは前記第２時間周波数リソースの前記Ｍ個のサブバンドのうちの第１サブバンドでのリソースであってもよく、図２Ｂに示される（図２Ｂでは、Ｍ＝Ｎである）。
【０１８２】
他の具体的な実現過程において、前記第２時間周波数リソースの前記Ｍ個のサブバンドのうちのｉ番目のサブバンドでのリソースは具体的に前記ＵＣＩに含まれる（ｋ＊Ｍ＋ｉ）番目の変調シンボルを伝送することに用いられてもよく、１≦ｉ≦Ｍ、ｋ≧０であり、ｉとｋがいずれも整数である。
【０１８３】
他の具体的な実現過程において、前記第２時間周波数リソースの前記Ｍ個のサブバンドのうちのｐ番目のサブバンドでのリソースは具体的に前記ＵＣＩに含まれる（ｋ＊Ｍ＋ｐ）番目のビットを伝送することに用いられてもよく、１≦ｐ≦Ｍ、ｋ≧０であり、ｐとｋがいずれも整数である。
【０１８４】
選択肢として、本実施例の１つの可能な実現方式では、前記第２時間周波数リソースのサイズは前記ＵＣＩのビットレートによって決定されてもよい。
【０１８５】
選択肢として、本実施例の１つの可能な実現方式では、前記ＵＣＩのビットレートは前記Ｍの値によって決定されてもよい。
【０１８６】
選択肢として、本実施例の１つの可能な実現方式では、前記ＵＣＩのビットレートは前記アップリンクデータのビットレートによって決定されてもよい。
【０１８７】
選択肢として、本実施例の１つの可能な実現方式では、前記ＵＣＩのビットレートはネットワーク装置が設定したもの又はプロトコルにより決められたものであってもよい。
【０１８８】
１つの具体的な実現過程において、前記ＵＣＩのビットレートは標準規範において規定したものであってもよい。
【０１８９】
他の具体的な実現過程において、前記ＵＣＩのビットレートは前記ネットワーク装置が指示情報によって前記端末装置に送信したものであってもよい。
【０１９０】
前記指示情報は物理層シグナリングであってもよく、媒体アクセス制御（ＭＡＣ、Ｍｅｄｉａ  Ａｃｃｅｓｓ  Ｃｏｎｔｒｏｌ）の制御要素（ＣＥ、Ｃｏｎｔｒｏｌ  Ｅｌｅｍｅｎｔ）シグナリングであってもよく、無線リソース制御（ＲＲＣ、Ｒａｄｉｏ  Ｒｅｓｏｕｒｃｅ  Ｃｏｎｔｒｏｌ）シグナリングであってもよく、本実施例は特に制限しない。
【０１９１】
指示情報が物理層シグナリングである場合、前記指示情報は物理層シグナリングにより明示的又は暗示的に示されるものであってもよい。
【０１９２】
例えば、前記ネットワーク装置はダウンリンク制御情報（ＤＣＩ、Ｄｏｗｎｌｉｎｋ  ｃｏｎｔｒｏｌ  ｉｎｆｏｒｍａｔｉｏｎ）によって前記端末装置に前記ＵＣＩのビットレートを示す（又は、指定されたビットレートに対する前記ＵＣＩのビットレートの倍数関係を示す）。
【０１９３】
理解されるように、前記指示情報は更にＲＲＣシグナリングと物理層シグナリングの組み合わせであってもよい。例えば、ネットワーク装置は少なくとも２種類のＵＣＩのビットレートの設定を設定して、ＤＣＩによって端末装置が１回アップリンク伝送において該少なくとも２種類の設定のうちのどの種類を使用すべきかを示す。
【０１９４】
選択肢として、本実施例の１つの可能な実現方式では、前記第２時間周波数リソースのサイズは前記アップリンクデータのビットレートによって決定されてもよい。
【０１９５】
他の具体的な実現過程において、前記第２時間周波数リソースのうちの第２サブ時間周波数リソースは具体的に前記ＵＣＩに含まれる第１サブＵＣＩと第２サブＵＣＩを伝送することに用いられてもよく、前記第２サブ時間周波数リソースは前記第２時間周波数リソースの前記Ｍ個のサブバンドのうちの第２サブバンドでのリソースであり、前記第１サブＵＣＩは前記アップリンクデータを復調するための復調情報を含み、前記第２サブＵＣＩは前記第２サブバンドにおける前記アップリンクデータを復調するための復調情報を含む。
【０１９６】
又は、前記第１サブＵＣＩは前記アップリンクデータを復調するための共有復調情報を含み、前記第２サブＵＣＩは前記第２サブバンドにおける前記アップリンクデータを復調するためのサブバンド専有復調情報を含む。
【０１９７】
例えば、前記第１サブＵＣＩは、前記第１伝送ブロックに対応するハイブリッド自動再送要求（ＨＡＲＱ）識別子、前記端末装置の識別子、前記第１伝送ブロックに対応する巡回冗長検査（ＣＲＣ）、前記第１時間周波数リソースの開始シンボル、前記第１時間周波数リソースの終了シンボル、前記第１時間周波数リソースにおいて伝送されるコードブロックグループ（ＣＢＧ、Ｃｏｄｅ  Ｂｌｏｃｋ  Ｇｒｏｕｐ）指示、前記第１伝送ブロックの新規データ指示子（ＮＤＩ、Ｎｅｗ  ｄａｔａ  ｉｎｄｉｃａｔｏｒ）、前記第１伝送ブロックの冗長バージョン（ＲＶ、Ｒｅｄｕｎｄａｎｃｙ  ｖｅｒｓｉｏｎ）、及び前記第１時間周波数リソースにおけるチャネル占有時間（ＣＯＴ、Ｃｈａｎｎｅｌ  Ｏｃｃｕｐａｎｃｙ  Ｔｉｍｅ）共有指示のうちの少なくとも１つを含んでもよいが、それらに限らない。
【０１９８】
又は、更に例えば、前記第２サブＵＣＩは、前記第１時間周波数リソースの前記第２サブバンドでの開始シンボル、前記第１時間周波数リソースの前記第２サブバンドでの終了シンボル、前記第２サブバンドにおいて伝送されるＣＢＧ指示、前記第２サブバンドにおいて伝送されるＣＢＧのＮＤＩ、前記第２サブバンドにおいて伝送されるＣＢＧのＲＶ、前記第２サブバンドにおいて伝送されるＣＢＧに対応するＣＲＣ、及び前記第２サブバンドにおけるチャネル占有時間ＣＯＴ共有指示のうちの少なくとも１つを含んでもよいが、それらに限らない。
【０１９９】
他の具体的な実現過程において、前記送信ユニット４１０は更に、
検出結果に基づいて前記Ｎ個のサブバンドのうちのＫ個のサブバンドが使用可能であることを決定し、１≦Ｋ≦Ｎであり、Ｋが正の整数であることと、
前記第１時間周波数リソースの前記Ｋ個のサブバンドでのリソースによって前記アップリンクデータを送信し、前記第２時間周波数リソースの前記Ｋ個のサブバンドでのリソースによって前記ＵＣＩを送信することと、に用いられてもよい。
【０２００】
１つの具体的な実現過程において、前記送信ユニット４１０は更に、
検出結果に基づいて前記Ｎ個のサブバンドのうちのＫ個のサブバンドが使用可能であることを決定し、１≦Ｋ＜Ｎであり、Ｋが正の整数であることと、
前記Ｋ個のサブバンドにおいて前記アップリンクデータと前記ＵＣＩを送信しないことと、に用いられてもよい。
【０２０１】
図５Ａに示されるように、図５Ａは本願の実施例に係るネットワーク装置５００の模式的なブロック図である。本実施例は図３Ａに対応する実施例における方法を実行するためのネットワーク装置を提供する。
【０２０２】
具体的に、該ネットワーク装置５００は図３Ａに対応する実施例における方法を実行するための機能モジュールを備える。ネットワーク装置５００は、
端末装置が第１時間周波数リソースのＮ個のサブバンドのうちのＫ個のサブバンドでのリソースにより送信したアップリンクデータと、第２時間周波数リソースのＫ個のサブバンドでのリソースにより送信したアップリンク制御情報ＵＣＩとを受信することに用いられ、前記第１時間周波数リソースは第１伝送ブロックレートにマッチングして取得したアップリンクデータを伝送することに用いられ、前記第２時間周波数リソースは前記アップリンクデータを復調するための前記ＵＣＩを伝送することに用いられる受信ユニット５１０を備えてもよく、
前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数であり、１≦Ｋ≦Ｎであり、Ｋが正の整数である。
【０２０３】
選択肢として、本実施例の１つの可能な実現方式では、Ｍ＝Ｎであり、前記第２時間周波数リソースが周波数領域において前記Ｎ個のサブバンドのうちの各サブバンドを占有する。
【０２０４】
選択肢として、本実施例の１つの可能な実現方式では、Ｍ＜Ｎであり、前記第２時間周波数リソースが周波数領域において前記Ｎ個のサブバンドのうちの一部のサブバンドを占有する。
【０２０５】
１つの具体的な実現過程において、前記第２時間周波数リソースのうちの第１サブ時間周波数リソースは具体的に前記ＵＣＩに含まれるすべての情報を伝送することに用いられてもよい。前記第１サブ時間周波数リソースは前記第２時間周波数リソースの前記Ｍ個のサブバンドのうちの第１サブバンドでのリソースであってもよく、図２Ｂに示される（図２Ｂでは、Ｍ＝Ｎである）。
【０２０６】
他の具体的な実現過程において、前記第２時間周波数リソースの前記Ｍ個のサブバンドのうちのｉ番目のサブバンドでのリソースは具体的に前記ＵＣＩに含まれる（ｋ＊Ｍ＋ｉ）番目の変調シンボルを伝送することに用いられてもよく、１≦ｉ≦Ｍ、ｋ≧０であり、ｉとｋがいずれも整数である。
【０２０７】
他の具体的な実現過程において、前記第２時間周波数リソースの前記Ｍ個のサブバンドのうちのｐ番目のサブバンドでのリソースは具体的に前記ＵＣＩに含まれる（ｋ＊Ｍ＋ｐ）番目のビットを伝送することに用いられてもよく、１≦ｐ≦Ｍ、ｋ≧０であり、ｐとｋがいずれも整数である。
【０２０８】
選択肢として、本実施例の１つの可能な実現方式では、前記第２時間周波数リソースのサイズは前記ＵＣＩのビットレートによって決定されてもよい。
【０２０９】
選択肢として、本実施例の１つの可能な実現方式では、前記ＵＣＩのビットレートは前記Ｍの値によって決定されてもよい。
【０２１０】
選択肢として、本実施例の１つの可能な実現方式では、前記ＵＣＩのビットレートは前記アップリンクデータのビットレートによって決定されてもよい。
【０２１１】
選択肢として、本実施例の１つの可能な実現方式では、前記ＵＣＩのビットレートは前記ネットワーク装置が設定したもの又はプロトコルにより決められたものであってもよい。
【０２１２】
１つの具体的な実現過程において、前記ＵＣＩのビットレートは標準規範において規定したものであってもよい。
【０２１３】
他の具体的な実現過程において、前記ＵＣＩのビットレートは前記ネットワーク装置が指示情報によって前記端末装置に送信したものであってもよい。
【０２１４】
前記指示情報は物理層シグナリングであってもよく、媒体アクセス制御（ＭＡＣ、Ｍｅｄｉａ  Ａｃｃｅｓｓ  Ｃｏｎｔｒｏｌ）の制御要素（ＣＥ、Ｃｏｎｔｒｏｌ  Ｅｌｅｍｅｎｔ）シグナリングであってもよく、無線リソース制御（ＲＲＣ、Ｒａｄｉｏ  Ｒｅｓｏｕｒｃｅ  Ｃｏｎｔｒｏｌ）シグナリングであってもよく、本実施例は特に制限しない。
【０２１５】
指示情報が物理層シグナリングである場合、前記指示情報は物理層シグナリングにより明示的又は暗示的に示されるものであってもよい。
【０２１６】
例えば、前記ネットワーク装置はダウンリンク制御情報（ＤＣＩ、Ｄｏｗｎｌｉｎｋ  ｃｏｎｔｒｏｌ  ｉｎｆｏｒｍａｔｉｏｎ）によって前記端末装置に前記ＵＣＩのビットレートを示す（又は、指定されたビットレートに対する前記ＵＣＩのビットレートの倍数関係を示す）。
【０２１７】
理解されるように、前記指示情報は更にＲＲＣシグナリングと物理層シグナリングの組み合わせであってもよい。例えば、ネットワーク装置は少なくとも２種類のＵＣＩのビットレートの設定を設定して、ＤＣＩによって端末装置が１回アップリンク伝送において該少なくとも２種類の設定のうちのどの種類を使用すべきかを示す。
【０２１８】
選択肢として、本実施例の１つの可能な実現方式では、前記第２時間周波数リソースのサイズは前記アップリンクデータのビットレートによって決定されてもよい。
【０２１９】
他の具体的な実現過程において、前記第２時間周波数リソースのうちの第２サブ時間周波数リソースは具体的に前記ＵＣＩに含まれる第１サブＵＣＩと第２サブＵＣＩを伝送することに用いられてもよく、前記第２サブ時間周波数リソースが前記第２時間周波数リソースの前記Ｍ個のサブバンドのうちの第２サブバンドでのリソースであり、前記第１サブＵＣＩは前記アップリンクデータを復調するための復調情報を含み、前記第２サブＵＣＩは前記第２サブバンドにおける前記アップリンクデータを復調するための復調情報を含む。
【０２２０】
又は、前記第１サブＵＣＩは前記アップリンクデータを復調するための共有復調情報を含み、前記第２サブＵＣＩは前記第２サブバンドにおける前記アップリンクデータを復調するためのサブバンド専有復調情報を含む。
【０２２１】
例えば、前記第１サブＵＣＩは、前記第１伝送ブロックに対応するハイブリッド自動再送要求（ＨＡＲＱ）識別子、前記端末装置の識別子、前記第１伝送ブロックに対応する巡回冗長検査（ＣＲＣ）、前記第１時間周波数リソースの開始シンボル、前記第１時間周波数リソースの終了シンボル、前記第１時間周波数リソースにおいて伝送されるコードブロックグループ（ＣＢＧ、Ｃｏｄｅ  Ｂｌｏｃｋ  Ｇｒｏｕｐ）指示、前記第１伝送ブロックの新規データ指示子（ＮＤＩ、Ｎｅｗ  ｄａｔａ  ｉｎｄｉｃａｔｏｒ）、前記第１伝送ブロックの冗長バージョン（ＲＶ、Ｒｅｄｕｎｄａｎｃｙ  ｖｅｒｓｉｏｎ）、及び前記第１時間周波数リソースにおけるチャネル占有時間（ＣＯＴ、Ｃｈａｎｎｅｌ  Ｏｃｃｕｐａｎｃｙ  Ｔｉｍｅ）共有指示のうちの少なくとも１つを含んでもよいが、それらに限らない。
【０２２２】
又は、更に例えば、前記第２サブＵＣＩは、前記第１時間周波数リソースの前記第２サブバンドでの開始シンボル、前記第１時間周波数リソースの前記第２サブバンドでの終了シンボル、前記第２サブバンドにおいて伝送されるＣＢＧ指示、前記第２サブバンドにおいて伝送されるＣＢＧのＮＤＩ、前記第２サブバンドにおいて伝送されるＣＢＧのＲＶ、前記第２サブバンドにおいて伝送されるＣＢＧに対応するＣＲＣ、及び前記第２サブバンドにおけるチャネル占有時間（ＣＯＴ）共有指示のうちの少なくとも１つを含んでもよいが、それらに限らない。
【０２２３】
本実施例では、端末装置は第１伝送ブロックレートにマッチングして取得したアップリンクデータを伝送するための第１時間周波数リソースと、前記アップリンクデータを復調するためのＵＣＩを伝送するための第２時間周波数リソースとを決定してもよい。前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数である。第１時間周波数リソースと第２時間周波数リソースを決定した後、前記端末装置は前記Ｎ個のサブバンドのうちの少なくとも１つのサブバンドに対してチャネル検出を行って、検出結果に基づいて前記アップリンクデータ及び前記ＵＣＩの送信を決定してもよい。
【０２２４】
選択肢として、本実施例の１つの可能な実現方式では、前記端末装置は更に検出結果に基づいて前記Ｎ個のサブバンドのうちのＫ個のサブバンドが使用可能であることを決定してもよく、１≦Ｋ≦Ｎであり、Ｋが正の整数である。次に、前記端末装置は前記第１時間周波数リソースの前記Ｋ個のサブバンドでのリソースによって前記アップリンクデータを送信し、前記第２時間周波数リソースの前記Ｋ個のサブバンドでのリソースによって前記ＵＣＩを送信してもよい。
【０２２５】
該実現過程において、端末装置はＬＢＴのため、Ｎ個のサブバンドのうちのＫ個のサブバンドしか使用できないことを検出したとき、ＵＣＩがすべてのサブバンド即ちＮ個のサブバンドにおいていずれも伝送リソースを有する場合に対して、端末装置はＬＢＴの場合にすべてのサブバンドの伝送チャンスを取得せず、即ちＫ＜Ｎである可能性があるが、各サブバンドにおいていずれもＵＣＩ伝送リソースがあるため、送信可能なサブバンドが１つあれば、該ＵＣＩが正確に復調でき、それによりサブバンドにおけるアップリンクデータの正確な伝送を確保することができる。
【０２２６】
該実現過程において、端末装置はＬＢＴのため、Ｎ個のサブバンドのうちのＫ個のサブバンドしか使用できないことを検出したとき、ＵＣＩが一部のサブバンド即ちＭ個のサブバンドのみにおいて伝送リソースを有する場合に対して、端末装置は該Ｋ個の使用可能なサブバンドに該Ｍ個のサブバンドが含まれることを決定すれば、端末装置はＵＣＩの伝送リソースにおいてＵＣＩの伝送を正常に行ってもよい。このように、該ＵＣＩが正確に復調でき、それによりサブバンドにおけるアップリンクデータの正確な伝送を確保することができる。
【０２２７】
選択肢として、前記受信ユニット５１０は更に前記Ｎ個のサブバンドのうちのＫ個のサブバンドが前記端末装置の使用可能なサブバンド（即ち、前記端末装置が前記アップリンクデータ及び前記ＵＣＩを伝送するためのサブバンド）であることを決定してもよく、１≦Ｋ≦Ｎであり、Ｋが正の整数である。例えば、前記受信ユニット５１０は前記Ｎ個のサブバンドのうちの各サブバンドにおける信号を検出することにより、該サブバンドが前記端末装置の使用可能なサブバンドであるかどうかを決定してもよい。
【０２２８】
制限ではなく例示的なものとして、前記受信ユニット５１０は前記Ｎ個のサブバンドのうちの各サブバンドにおける復調参照信号又は各サブバンドにおけるＵＣＩをブラインド検出してもよい。前記受信ユニット５１０はあるサブバンドに前記端末装置の送信した復調参照信号又はＵＣＩがあることを検出した場合、該受信ユニット５１０は該サブバンドが前記端末装置の使用可能なサブバンドであることを決定し、又は、前記受信ユニット５１０はあるサブバンドにおいて前記端末装置の送信した復調参照信号又はＵＣＩを検出しない場合、該受信ユニット５１０は該サブバンドが前記端末装置の使用不可能なサブバンドであることを決定する。復調参照信号は前記ＵＣＩ又は前記アップリンクデータを復調するための参照信号である。
【０２２９】
図５Ｂに示されるように、図５Ｂは本願の実施例に係る他のネットワーク装置５０１の模式的なブロック図である。本実施例は図３Ｂに対応する実施例における方法を実行するためのネットワーク装置を提供する。
【０２３０】
具体的に、該ネットワーク装置５０１は図３Ｂに対応する実施例における方法を実行するための機能モジュールを備える。ネットワーク装置５０１は、
端末装置が第１時間周波数リソースにより送信したアップリンクデータと、第２時間周波数リソースにより送信したアップリンク制御情報（ＵＣＩ）とを受信することに用いられ、前記第１時間周波数リソースは第１伝送ブロックレートにマッチングして取得したアップリンクデータを伝送することに用いられ、前記第２時間周波数リソースは前記アップリンクデータを復調するための前記ＵＣＩを伝送することに用いられる受信ユニット５２０を備えてもよく、
前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、１≦Ｍ＜Ｎであり、ＮとＭがいずれも正の整数である。
【０２３１】
選択肢として、本願の実施例では、サブバンドのサイズは端末装置がチャネルを検出する単位帯域幅のサイズと同じであり、又は、サブバンドのサイズは端末装置がチャネルを検出する単位帯域幅の整数倍である。例えば、端末装置がチャネルを検出する単位帯域幅は２０ＭＨｚであると仮定すれば、サブバンドのサイズが２０ＭＨｚであってもよく、４０ＭＨｚ又は６０ＭＨｚ等であってもよく、本実施例は特に制限しない。
【０２３２】
理解されるべきように、本願の実施例では、前記第１時間周波数リソースが周波数領域においてＮ個のサブバンドを占有することは、前記第１時間周波数リソースが周波数領域においてＮ個のサブバンドにおけるすべてのリソースを占有し、又は前記第１時間周波数リソースが周波数領域においてＮ個のサブバンドにおける一部のリソースを占有するということであってもよく、本実施例は特に制限しない。
【０２３３】
理解されるべきように、本願の実施例では、前記第２時間周波数リソースが周波数領域においてＮ個のサブバンドのうちのＭ個のサブバンドを占有することは、前記第２時間周波数リソースが周波数領域において該Ｍ個のサブバンドにおけるすべてのリソースを占有し、又は前記第２時間周波数リソースが周波数領域において該Ｍ個のサブバンドにおける一部のリソースを占有するということであってもよく、本実施例は特に制限しない。
【０２３４】
選択肢として、本願の実施例では、前記アップリンクデータの前記第１時間周波数リソースでの伝送方式はコードブロックグループ（ＣＢＧ、Ｃｏｄｅ  Ｂｌｏｃｋ  Ｇｒｏｕｐ）伝送方式であり、前記第１時間周波数リソースの前記Ｎ個のサブバンドのうちの各サブバンドでのリソースは整数個のＣＢＧを伝送することに用いられる。
【０２３５】
選択肢として、本実施例の１つの可能な実現方式では、Ｍ＝Ｎであり、前記第２時間周波数リソースが周波数領域において前記Ｎ個のサブバンドのうちの各サブバンドを占有する。
【０２３６】
選択肢として、本実施例の１つの可能な実現方式では、Ｍ＜Ｎであり、前記第２時間周波数リソースが周波数領域において前記Ｎ個のサブバンドのうちの一部のサブバンドを占有する。
【０２３７】
１つの具体的な実現過程において、前記第２時間周波数リソースのうちの第１サブ時間周波数リソースは具体的に前記ＵＣＩに含まれるすべての情報を伝送することに用いられてもよい。前記第１サブ時間周波数リソースは前記第２時間周波数リソースの前記Ｍ個のサブバンドのうちの第１サブバンドでのリソースであってもよく、図２Ｂに示される（図２Ｂでは、Ｍ＝Ｎである）。
【０２３８】
選択肢として、前記ＵＣＩに含まれるすべての情報は、前記第１伝送ブロックに対応するハイブリッド自動再送要求（ＨＡＲＱ、Ｈｙｂｒｉｄ  Ａｕｔｏｍａｔｉｃ  Ｒｅｐｅａｔ  ｒｅＱｕｅｓｔ）識別子、前記端末装置の識別子、前記第１伝送ブロックに対応する巡回冗長検査（ＣＲＣ、Ｃｙｃｌｉｃ  Ｒｅｄｕｎｄａｎｃｙ  Ｃｈｅｃｋ）、前記第１時間周波数リソースの開始シンボル、前記第１時間周波数リソースの終了シンボル、前記第１時間周波数リソースにおいて伝送されるコードブロックグループ（ＣＢＧ、Ｃｏｄｅ  Ｂｌｏｃｋ  Ｇｒｏｕｐ）指示、前記第１伝送ブロックの新規データ指示子（ＮＤＩ、Ｎｅｗ  ｄａｔａ  ｉｎｄｉｃａｔｏｒ）、前記第１伝送ブロックの冗長バージョン（ＲＶ、Ｒｅｄｕｎｄａｎｃｙ  ｖｅｒｓｉｏｎ）、及び前記第１時間周波数リソースにおけるチャネル占有時間（ＣＯＴ、Ｃｈａｎｎｅｌ  Ｏｃｃｕｐａｎｃｙ  Ｔｉｍｅ）共有指示のうちの少なくとも１つを含んでもよいが、それらに限らない。
【０２３９】
選択肢として、本願の実施例では、前記ＣＯＴ共有指示は前記端末装置のチャネルへのアクセスに成功した後の１回伝送チャンスにおけるリソースが、他の装置による通信伝送に使用されるかどうかを示すことに用いられてもよい。例えば、前記ＣＯＴ共有指示が共有可能を示す場合、前記端末装置のチャネルへのアクセスに成功した後の１回伝送チャンスにおけるリソースは他の通信装置による通信伝送に使用されてもよく、他の通信装置はネットワーク装置であってもよく、前記端末装置と異なる他の端末装置等であってもよく、本願の実施例は制限しない。
【０２４０】
他の具体的な実現過程において、前記第２時間周波数リソースの前記Ｍ個のサブバンドのうちのｉ番目のサブバンドでのリソースは具体的に前記ＵＣＩに含まれる（ｋ＊Ｍ＋ｉ）番目の変調シンボルを伝送することに用いられてもよく、１≦ｉ≦Ｍ、ｋ≧０であり、ｉとｋがいずれも整数である。
【０２４１】
他の具体的な実現過程において、前記第２時間周波数リソースの前記Ｍ個のサブバンドのうちのｐ番目のサブバンドでのリソースは具体的に前記ＵＣＩに含まれる（ｋ＊Ｍ＋ｐ）番目のビットを伝送することに用いられてもよく、１≦ｐ≦Ｍ、ｋ≧０であり、ｐとｋがいずれも整数である。選択肢として、本実施例の１つの可能な実現方式では、前記第２時間周波数リソースのサイズは前記ＵＣＩのビットレートによって決定されてもよい。
【０２４２】
理解されるべきように、ビットレートが低い場合、ＵＣＩがマッピングされるサブバンドはＬＢＴに失敗したため伝送できなくても、他のサブバンドにおいてマッピングされるＵＣＩに基づいて正確に復調する確率がある。
【０２４３】
選択肢として、本実施例の１つの可能な実現方式では、前記ＵＣＩのビットレートは前記Ｍの値によって決定されてもよい。
【０２４４】
例えば、Ｍ＝１の場合、ビットレートはｘと記される基準値であってもよい。Ｍ＝２の場合、ビットレートがｘ／２であってもよい。Ｍ＝３の場合、ビットレートがｘ／３であってもよい。Ｍ＝４の場合、ビットレートがｘ／４であってもよい。制限ではなく例示的なものとして、前記ｘの値が１／２であってもよい。
【０２４５】
選択肢として、本実施例の１つの可能な実現方式では、前記ＵＣＩのビットレートは前記アップリンクデータのビットレートによって決定されてもよい。
【０２４６】
選択肢として、本実施例の１つの可能な実現方式では、前記ＵＣＩのビットレートはネットワーク装置が設定したもの又はプロトコルにより決められたものであってもよい。
【０２４７】
１つの具体的な実現過程において、前記ＵＣＩのビットレートは標準規範において規定したものであってもよい。
【０２４８】
他の具体的な実現過程において、前記ＵＣＩのビットレートは前記ネットワーク装置が指示情報によって前記端末装置に送信したものであってもよい。
【０２４９】
前記指示情報は物理層シグナリングであってもよく、媒体アクセス制御（ＭＡＣ、Ｍｅｄｉａ  Ａｃｃｅｓｓ  Ｃｏｎｔｒｏｌ）の制御要素（ＣＥ、Ｃｏｎｔｒｏｌ  Ｅｌｅｍｅｎｔ）シグナリングであってもよく、無線リソース制御（ＲＲＣ、Ｒａｄｉｏ  Ｒｅｓｏｕｒｃｅ  Ｃｏｎｔｒｏｌ）シグナリングであってもよく、本実施例は特に制限しない。
【０２５０】
指示情報が物理層シグナリングである場合、前記指示情報は物理層シグナリングにより明示的又は暗示的に示されるものであってもよい。
【０２５１】
例えば、前記ネットワーク装置はダウンリンク制御情報（ＤＣＩ、Ｄｏｗｎｌｉｎｋ  ｃｏｎｔｒｏｌ  ｉｎｆｏｒｍａｔｉｏｎ）によって前記端末装置に前記ＵＣＩのビットレートを示す（又は、指定されたビットレートに対する前記ＵＣＩのビットレートの倍数関係を示す）。
【０２５２】
理解されるように、前記指示情報は更にＲＲＣシグナリングと物理層シグナリングの組み合わせであってもよい。例えば、ネットワーク装置は少なくとも２種類のＵＣＩのビットレートの設定を設定して、ＤＣＩによって端末装置が１回アップリンク伝送において該少なくとも２種類の設定のうちのどの種類を使用すべきかを示す。
【０２５３】
選択肢として、本実施例の１つの可能な実現方式では、前記第２時間周波数リソースのサイズは前記アップリンクデータのビットレートによって決定されてもよい。
【０２５４】
他の具体的な実現過程において、前記第２時間周波数リソースのうちの第２サブ時間周波数リソースは具体的に前記ＵＣＩに含まれる第１サブＵＣＩと第２サブＵＣＩを伝送することに用いられてもよく、前記第２サブ時間周波数リソースは前記第２時間周波数リソースの前記Ｍ個のサブバンドのうちの第２サブバンドでのリソースであり、前記第１サブＵＣＩは前記アップリンクデータを復調するための復調情報を含み、前記第２サブＵＣＩは前記第２サブバンドにおける前記アップリンクデータを復調するための復調情報を含む。
【０２５５】
又は、前記第１サブＵＣＩは前記アップリンクデータを復調するための共有復調情報を含み、前記第２サブＵＣＩは前記第２サブバンドにおける前記アップリンクデータを復調するためのサブバンド専有復調情報を含む。
【０２５６】
選択肢として、前記第２サブバンドは前記Ｍ個のサブバンドのうちの１つのサブバンドである。
【０２５７】
選択肢として、前記第２サブバンドは前記Ｍ個のサブバンドのうちのいずれか１つのサブバンドである。
【０２５８】
例えば、前記第１サブＵＣＩは、前記第１伝送ブロックに対応するハイブリッド自動再送要求（ＨＡＲＱ）識別子、前記端末装置の識別子、前記第１伝送ブロックに対応する巡回冗長検査（ＣＲＣ）、前記第１時間周波数リソースの開始シンボル、前記第１時間周波数リソースの終了シンボル、前記第１時間周波数リソースにおいて伝送されるコードブロックグループ（ＣＢＧ、Ｃｏｄｅ  Ｂｌｏｃｋ  Ｇｒｏｕｐ）指示、前記第１伝送ブロックの新規データ指示子（ＮＤＩ、Ｎｅｗ  ｄａｔａ  ｉｎｄｉｃａｔｏｒ）、前記第１伝送ブロックの冗長バージョン（ＲＶ、Ｒｅｄｕｎｄａｎｃｙ  ｖｅｒｓｉｏｎ）、及び前記第１時間周波数リソースにおけるチャネル占有時間（ＣＯＴ、Ｃｈａｎｎｅｌ  Ｏｃｃｕｐａｎｃｙ  Ｔｉｍｅ）共有指示のうちの少なくとも１つを含んでもよいが、それらに限らない。
【０２５９】
又は、更に例えば、前記第２サブＵＣＩは、前記第１時間周波数リソースの前記第２サブバンドでの開始シンボル、前記第１時間周波数リソースの前記第２サブバンドでの終了シンボル、前記第２サブバンドにおいて伝送されるＣＢＧ指示、前記第２サブバンドにおいて伝送されるＣＢＧのＮＤＩ、前記第２サブバンドにおいて伝送されるＣＢＧのＲＶ、前記第２サブバンドにおいて伝送されるＣＢＧに対応するＣＲＣ、及び前記第２サブバンドにおけるチャネル占有時間（ＣＯＴ）共有指示のうちの少なくとも１つを含んでもよいが、それらに限らない。
【０２６０】
該方式では、送信不可能なサブバンドがあれば、該サブバンドのＵＣＩが正確に復調できず、他の送信可能なサブバンドのＵＣＩが依然として正確に復調でき、それによりサブバンドにおけるアップリンクデータの正確な伝送を確保することができる。
【０２６１】
本実施例では、端末装置は第１伝送ブロックレートにマッチングして取得したアップリンクデータを伝送するための第１時間周波数リソースと、前記アップリンクデータを復調するためのＵＣＩを伝送するための第２時間周波数リソースとを決定してもよい。前記第１時間周波数リソースが周波数領域においてＮ個のサブバンドを占有し、前記第２時間周波数リソースが前記第１時間周波数リソースのうちのリソースであり、前記第２時間周波数リソースが周波数領域において前記Ｎ個のサブバンドのうちのＭ個のサブバンドを占有し、Ｎ≧２であり、Ｍ≧１であり、ＮとＭがいずれも正の整数である。第１時間周波数リソースと第２時間周波数リソースを決定した後、前記端末装置は前記Ｎ個のサブバンドのうちの少なくとも１つのサブバンドに対してチャネル検出を行って、検出結果に基づいて前記アップリンクデータ及び前記ＵＣＩの送信を決定してもよい。
【０２６２】
１つの具体的な実現過程において、第１時間周波数リソースと第２時間周波数リソースを決定した後、前記端末装置は検出結果に基づいて前記Ｎ個のサブバンドのうちのＫ個のサブバンドが使用可能であることを決定してもよく、１≦Ｋ＜Ｎであり、Ｋが正の整数である。前記端末装置はＵＣＩが正常に伝送されるように確保できないため、前記端末装置は前記Ｋ個のサブバンドにおいて前記アップリンクデータと前記ＵＣＩを送信しなくてもよい。
【０２６３】
該実現過程において、端末装置はＬＢＴのため、Ｎ個のサブバンドのうちのＫ個のサブバンドしか使用できないことを検出したとき、ＵＣＩが一部のサブバンド即ちＭ個のサブバンドのみにおいて伝送リソースを有する場合に対して、端末装置はすべてのサブバンドの伝送チャンスを取得せず、即ちＫ＜Ｎであることを決定すれば、端末装置はアップリンクデータ及びＵＣＩの伝送を行わなくてもよい。
【０２６４】
選択肢として、前記受信ユニット５２０は更に前記Ｎ個のサブバンドのうちのＫ個のサブバンドが前記端末装置の使用可能なサブバンド（即ち、前記端末装置が前記アップリンクデータ及び前記ＵＣＩを伝送するためのサブバンド）であることを決定してもよく、１≦Ｋ≦Ｎであり、Ｋが正の整数である。例えば、前記受信ユニット５２０は前記Ｎ個のサブバンドのうちの各サブバンドにおける信号を検出することにより、該サブバンドが前記端末装置の使用可能なサブバンドであるかどうかを決定してもよい。
【０２６５】
制限ではなく例示的なものとして、前記受信ユニット５２０は前記Ｎ個のサブバンドのうちの各サブバンドにおける復調参照信号又は各サブバンドにおけるＵＣＩをブラインド検出してもよい。前記受信ユニット５２０はあるサブバンドに前記端末装置の送信した復調参照信号又はＵＣＩがあることを検出した場合、該受信ユニット５２０は該サブバンドが前記端末装置の使用可能なサブバンドであることを決定し、又は、前記受信ユニット５２０はあるサブバンドにおいて前記端末装置の送信した復調参照信号又はＵＣＩを検出しない場合、該受信ユニット５２０は該サブバンドが前記端末装置の使用不可能なサブバンドであることを決定する。復調参照信号は前記ＵＣＩ又は前記アップリンクデータを復調するための参照信号である。
【０２６６】
選択肢として、前記受信ユニット５２０は更に前記Ｎ個のサブバンドが前記端末装置の使用可能なサブバンド（即ち、前記端末装置が前記アップリンクデータ及び前記ＵＣＩを伝送するためのサブバンド）であることを決定してもよい。例えば、前記受信ユニット５２０は前記Ｎ個のサブバンドにおいて伝送される信号を検出することにより、該Ｎ個のサブバンドが前記端末装置の使用可能なサブバンドであるかどうかを決定してもよい。
【０２６７】
選択肢として、前記受信ユニット５２０は前記Ｎ個のサブバンドがいずれも前記端末装置の使用可能なサブバンドであることを決定する場合、前記受信ユニット５２０は前記アップリンクデータ又は前記ＵＣＩの受信を行ってもよい。
【０２６８】
選択肢として、前記受信ユニット５２０は前記Ｎ個のサブバンドのうちの少なくとも１つのサブバンドが前記端末装置の使用不可能なサブバンドであることを決定する場合、前記ネットワーク装置は前記アップリンクデータ又は前記ＵＣＩの受信を行わない。
【０２６９】
図６は本願の実施例に係る通信装置６００の構造模式図である。図６に示される通信装置６００はプロセッサ６１０を備え、プロセッサ６１０はメモリからコンピュータプログラムを呼び出して実行して、本願の実施例における方法を実現することができる。
【０２７０】
選択肢として、図６に示すように、通信装置６００は更にメモリ６２０を備えてもよい。プロセッサ６１０はメモリ６２０からコンピュータプログラムを呼び出して実行して、本願の実施例における方法を実現することができる。
【０２７１】
メモリ６２０はプロセッサ６１０から独立した１つの独立したデバイスであってもよく、プロセッサ６１０に統合されてもよい。
【０２７２】
選択肢として、図６に示すように、通信装置６００は更に送受信機６３０を備えてもよく、プロセッサ６１０は他の装置と通信するように該送受信機６３０を制御することができ、具体的に、他の装置に情報又はデータを送信し、又は他の装置から送信された情報又はデータを受信することができる。
【０２７３】
送受信機６３０は送信機及び受信機を備えてもよい。送受信機６３０は更にアンテナを備えてもよく、アンテナの数が１つ又は複数であってもよい。
【０２７４】
選択肢として、該通信装置６００は具体的に本願の実施例のネットワーク装置であってもよく、且つ該通信装置６００は本願の実施例の各方法におけるネットワーク装置の実現する対応プロセスを実現することができる。簡潔のために、ここで詳細な説明は省略する。
【０２７５】
選択肢として、該通信装置６００は具体的に本願の実施例の端末装置であってもよく、且つ該通信装置６００は本願の実施例の各方法における端末装置の実現する対応プロセスを実現することができる。簡潔のために、ここで詳細な説明は省略する。
【０２７６】
図７は本願の実施例のチップ７００の構造模式図である。図７に示されるチップ７００はプロセッサ７１０を備え、プロセッサ７１０はメモリからコンピュータプログラムを呼び出して実行して、本願の実施例における方法を実現することができる。
【０２７７】
選択肢として、図７に示すように、チップ７００は更にメモリ７２０を備えてもよい。プロセッサ７１０はメモリ７２０からコンピュータプログラムを呼び出して実行して、本願の実施例における方法を実現することができる。
【０２７８】
メモリ７２０はプロセッサ７１０から独立した１つの独立したデバイスであってもよく、プロセッサ７１０に統合されてもよい。
【０２７９】
選択肢として、該チップ７００は更に入力インターフェース７３０を備えてもよい。プロセッサ７１０は他の装置又はチップと通信するように該入力インターフェース７３０を制御することができ、具体的に、他の装置又はチップから送信された情報又はデータを取得することができる。
【０２８０】
選択肢として、該チップ７００は更に出力インターフェース７４０を備えてもよい。プロセッサ７１０は他の装置又はチップと通信するように該出力インターフェース７４０を制御することができ、具体的に、他の装置又はチップに情報又はデータを出力することができる。
【０２８１】
選択肢として、該チップは本願の実施例のネットワーク装置に適用されてもよく、且つ該チップは本願の実施例の各方法におけるネットワーク装置の実現する対応プロセスを実現することができる。簡潔のために、ここで詳細な説明は省略する。
【０２８２】
選択肢として、該チップは本願の実施例の端末装置に適用されてもよく、且つ該チップは本願の実施例の各方法における端末装置の実現する対応プロセスを実現することができる。簡潔のために、ここで詳細な説明は省略する。
【０２８３】
理解されるべきように、本願の実施例に言及したチップは更にシステムレベルチップ、システムチップ、チップシステム又はシステムオンチップ等と称されてもよい。
【０２８４】
図８は本願の実施例に係る通信システム８００の模式的なブロック図である。図８に示すように、該通信システム８００は端末装置８１０及びネットワーク装置８２０を備える。
【０２８５】
該端末装置８１０は上記方法における端末装置の実現する対応機能を実現することに用いられてもよく、該ネットワーク装置８２０は上記方法におけるネットワーク装置の実現する対応機能を実現することに用いられてもよい。簡潔のために、ここで詳細な説明は省略する。
【０２８６】
理解されるべきように、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０２８７】
理解されるように、本願の実施例では、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。注意されるべきように、本明細書に説明されるシステム及び方法のメモリはこれらのメモリ及び任意の他の適切なタイプのメモリを含むが、それらに限らないように意図されるものである。
【０２８８】
理解されるべきように、上記メモリは例示的な説明であって制限的ではなく、例えば、本願の実施例のメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。つまり、本願の実施例のメモリはこれらのメモリ及び任意の他の適切なタイプのメモリを含むが、それらに限らないように意図されるものである。
【０２８９】
本願の実施例はコンピュータプログラムを記憶することに用いられるコンピュータ可読記憶媒体を更に提供する。
【０２９０】
選択肢として、該コンピュータ可読記憶媒体は本願の実施例のネットワーク装置に適用されてもよく、且つ該コンピュータプログラムによってコンピュータが本願の実施例の各方法におけるネットワーク装置の実現する対応プロセスを実行する。簡潔のために、ここで詳細な説明は省略する。
【０２９１】
選択肢として、該コンピュータ可読記憶媒体は本願の実施例の端末装置に適用されてもよく、且つ該コンピュータプログラムによってコンピュータが本願の実施例の各方法における端末装置の実現する対応プロセスを実行する。簡潔のために、ここで詳細な説明は省略する。
【０２９２】
本願の実施例はコンピュータプログラム命令を含むコンピュータプログラム製品を更に提供する。
【０２９３】
選択肢として、該コンピュータプログラム製品は本願の実施例のネットワーク装置に適用されてもよく、且つ該コンピュータプログラム命令によってコンピュータが本願の実施例の各方法におけるネットワーク装置の実現する対応プロセスを実行する。簡潔のために、ここで詳細な説明は省略する。
【０２９４】
選択肢として、該コンピュータプログラム製品は本願の実施例の端末装置に適用されてもよく、且つ該コンピュータプログラム命令によってコンピュータが本願の実施例の各方法における端末装置の実現する対応プロセスを実行する。簡潔のために、ここで詳細な説明は省略する。
【０２９５】
本願の実施例は更にコンピュータプログラムを提供する。
【０２９６】
選択肢として、該コンピュータプログラムは本願の実施例のネットワーク装置に適用されてもよく、該コンピュータプログラムがコンピュータにおいて実行されるとき、コンピュータが本願の実施例の各方法におけるネットワーク装置の実現する対応プロセスを実行する。簡潔のために、ここで詳細な説明は省略する。
【０２９７】
選択肢として、該コンピュータプログラムは本願の実施例の端末装置に適用されてもよく、該コンピュータプログラムがコンピュータにおいて実行されるとき、コンピュータが本願の実施例の各方法における端末装置の実現する対応プロセスを実行する。簡潔のために、ここで詳細な説明は省略する。
【０２９８】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０２９９】
当業者であれば明確に理解できるように、説明を容易で簡単にするために、上記説明されるシステム、装置及びユニットの具体的な動作過程については、前述の方法実施例における対応過程を参照してもよく、ここで詳細な説明は省略する。
【０３００】
本願に係るいくつかの実施例において、理解されるべきように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０３０１】
分離部材として説明される前記ユニットは物理的に分離してもよく、物理的に分離しなくてもよく、ユニットとして表示される部材は物理ユニットであってもよく、物理ユニットでなくてもよく、即ち、一箇所に位置してもよく、複数のネットワークユニットに配置されてもよい。実際の必要に応じて、その一部又は全部のユニットを選択して本実施例案の目的を実現してもよい。
【０３０２】
また、本願の各実施例では、各機能ユニットは１つの処理ユニットに統合されてもよく、各ユニットは独立して物理的に存在してもよく、２つ以上のユニットは１つのユニットに統合されてもよい。
【０３０３】
前記機能はソフトウェア機能ユニットの形式で実現され、且つ独立した製品として販売又は使用されるときは、１つのコンピュータ可読記憶媒体に記憶されてもよい。このような理解に基づいて、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための若干の命令を含む１つの記憶媒体に記憶される。上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０３０４】
以上の説明は本願の具体的な実施形態であって、本願の保護範囲を制限するためのものではない。当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021528937.tif 000003
【図２Ａ】
2021528937.tif 000004
【図２Ｂ】
2021528937.tif 000005
【図３Ａ】
2021528937.tif 000006
【図３Ｂ】
2021528937.tif 000007
【図４】
2021528937.tif 000008
【図５Ａ】
2021528937.tif 000009
【図５Ｂ】
2021528937.tif 000010
【図６】
2021528937.tif 000011
【図７】
2021528937.tif 000012
【図８】
2021528937.tif 000013
【手続補正書】
【提出日】令和2年12月23日(2020.12.23)
【手続補正１】
【補正対象書類名】明細書
【補正対象項目名】００１３
【補正方法】変更
【補正の内容】
【００１３】
第６態様ではチップを提供し、上記第１態様〜上記第２態様のうちのいずれか１つ又はその各実現方式における方法を実現することに用いられる。
【手続補正２】
【補正対象書類名】明細書
【補正対象項目名】０１９９
【補正方法】変更
【補正の内容】
【０１９９】
他の具体的な実現過程において、前記送信ユニット４２０は更に、
検出結果に基づいて前記Ｎ個のサブバンドのうちのＫ個のサブバンドが使用可能であることを決定し、１≦Ｋ≦Ｎであり、Ｋが正の整数であることと、
前記第１時間周波数リソースの前記Ｋ個のサブバンドでのリソースによって前記アップリンクデータを送信し、前記第２時間周波数リソースの前記Ｋ個のサブバンドでのリソースによって前記ＵＣＩを送信することと、に用いられてもよい。
【手続補正３】
【補正対象書類名】明細書
【補正対象項目名】０２００
【補正方法】変更
【補正の内容】
【０２００】
１つの具体的な実現過程において、前記送信ユニット４２０は更に、
検出結果に基づいて前記Ｎ個のサブバンドのうちのＫ個のサブバンドが使用可能であることを決定し、１≦Ｋ＜Ｎであり、Ｋが正の整数であることと、
前記Ｋ個のサブバンドにおいて前記アップリンクデータと前記ＵＣＩを送信しないことと、に用いられてもよい。
【手続補正４】
【補正対象書類名】特許請求の範囲
【補正対象項目名】全文
【補正方法】変更
【補正の内容】
【特許請求の範囲】
【請求項１】
アップリンク信号の伝送方法であって、
端末装置は、第１伝送ブロックレートにマッチングして取得したアップリンクデータを伝送するための第１時間周波数リソースと、アップリンク制御情報（ＵＣＩ）を伝送するための第２時間周波数リソースとを決定し、前記ＵＣＩは前記第１伝送ブロックに対応するハイブリッド自動再送要求（ＨＡＲＱ）識別子、新規データ指示子（ＮＤＩ）、冗長バージョン（ＲＶ）のうちの少なくとも１つを含み、前記第１時間周波数リソースは周波数領域においてＮ個のサブバンドを占有し、前記第２時間周波数リソースは周波数領域において前記Ｎ個のサブバンドのうちの各サブバンドを占有し、Ｎ≧２であり、Ｎは正の整数であることと、
前記端末装置は、前記Ｎ個のサブバンドのうちの少なくとも１つのサブバンドに対してチャネル検出を行って、検出結果に基づいて前記アップリンクデータ及び前記ＵＣＩの送信を決定することと、を含むことを特徴とするアップリンク信号の伝送方法。
【請求項２】
前記ＵＣＩは前記第１時間周波数リソースに対応するチャネル占有時間（ＣＯＴ）共有指示を更に含むことを特徴とする請求項１に記載の方法。
【請求項３】
前記方法は更に、
前記端末装置が、検出結果に基づいて前記Ｎ個のサブバンドのうちのＫ個のサブバンドが使用可能であることを決定し、１≦Ｋ＜Ｎであり、Ｋが正の整数であることと、
前記端末装置が前記Ｋ個のサブバンドにおいて前記アップリンクデータと前記ＵＣＩを送信しないことと、を含むことを特徴とする請求項１に記載の方法。
【請求項４】
前記ＵＣＩのビットレートは、ネットワーク装置が設定したもの又はプロトコルにより決められたものであることを特徴とする請求項１〜３のいずれか１項に記載の方法。
【請求項５】
アップリンク信号の伝送方法であって、
ネットワーク装置は、端末装置が第１時間周波数リソースのＮ個のサブバンドのうちのＫ個のサブバンドでのリソースにより送信したアップリンクデータと、第２時間周波数リソースのＫ個のサブバンドでのリソースにより送信したアップリンク制御情報（ＵＣＩ）とを受信し、前記第１時間周波数リソースは第１伝送ブロックレートにマッチングして取得したアップリンクデータを伝送することに用いられ、前記第２時間周波数リソースは前記ＵＣＩを伝送することに用いられ、前記ＵＣＩは前記第１伝送ブロックに対応するハイブリッド自動再送要求（ＨＡＲＱ）識別子、新規データ指示子（ＮＤＩ）、冗長バージョン（ＲＶ）のうちの少なくとも１つを含むことを含み、
前記第１時間周波数リソースは周波数領域においてＮ個のサブバンドを占有し、前記第２時間周波数リソースは周波数領域において前記Ｎ個のサブバンドのうちの各サブバンドを占有し、Ｎ≧２であり、Ｎは正の整数であり、１≦Ｋ≦Ｎであり、Ｋが正の整数であることを特徴とするアップリンク信号の伝送方法。
【請求項６】
前記ＵＣＩは前記第１時間周波数リソースに対応するチャネル占有時間（ＣＯＴ）共有指示を更に含むことを特徴とする請求項５に記載の方法。
【請求項７】
前記ネットワーク装置が前記Ｎ個のサブバンドのうちの各サブバンドにおける信号を検出することにより、前記Ｎ個のサブバンドのうちのＫ個のサブバンドが使用可能なサブバンドであるかどうかを決定することを更に含むことを特徴とする請求項５に記載の方法。
【請求項８】
前記ＵＣＩのビットレートは、ネットワーク装置が設定したもの又はプロトコルにより決められたものであることを特徴とする請求項５〜７のいずれか１項に記載の方法。
【請求項９】
端末装置であって、
第１伝送ブロックレートにマッチングして取得したアップリンクデータを伝送するための第１時間周波数リソースと、アップリンク制御情報（ＵＣＩ）を伝送するための第２時間周波数リソースとを決定することに用いられ、前記ＵＣＩは前記第１伝送ブロックに対応するハイブリッド自動再送要求（ＨＡＲＱ）識別子、新規データ指示子（ＮＤＩ）、冗長バージョン（ＲＶ）のうちの少なくとも１つを含み、前記第１時間周波数リソースは周波数領域においてＮ個のサブバンドを占有し、前記第２時間周波数リソースは周波数領域において前記Ｎ個のサブバンドのうちの各サブバンドを占有し、Ｎ≧２であり、Ｎは正の整数である決定ユニットと、
前記Ｎ個のサブバンドのうちの少なくとも１つのサブバンドに対してチャネル検出を行って、検出結果に基づいて前記アップリンクデータ及び前記ＵＣＩの送信を決定することに用いられる送信ユニットと、を備えることを特徴とする端末装置。
【請求項１０】
前記ＵＣＩは前記第１時間周波数リソースに対応するチャネル占有時間（ＣＯＴ）共有指示を更に含むことを特徴とする請求項９に記載の端末装置。
【請求項１１】
前記送信ユニットは更に、
検出結果に基づいて前記Ｎ個のサブバンドのうちのＫ個のサブバンドが使用可能であることを決定し、１≦Ｋ＜Ｎであり、Ｋが正の整数であることと、
前記Ｋ個のサブバンドにおいて前記アップリンクデータと前記ＵＣＩを送信しないことと、に用いられることを特徴とする請求項９に記載の端末装置。
【請求項１２】
前記ＵＣＩのビットレートは、ネットワーク装置が設定したもの又はプロトコルにより決められたものであることを特徴とする請求項９〜１１のいずれか１項に記載の端末装置。
【請求項１３】
ネットワーク装置であって、
端末装置が第１時間周波数リソースのＮ個のサブバンドのうちのＫ個のサブバンドでのリソースにより送信したアップリンクデータと、第２時間周波数リソースのＫ個のサブバンドでのリソースにより送信したアップリンク制御情報（ＵＣＩ）とを受信することに用いられ、前記第１時間周波数リソースは第１伝送ブロックレートにマッチングして取得したアップリンクデータを伝送することに用いられ、前記第２時間周波数リソースは前記ＵＣＩを伝送することに用いられ、前記ＵＣＩは前記第１伝送ブロックに対応するハイブリッド自動再送要求（ＨＡＲＱ）識別子、新規データ指示子（ＮＤＩ）、冗長バージョン（ＲＶ）のうちの少なくとも１つを含む受信ユニットを備え、
前記第１時間周波数リソースは周波数領域においてＮ個のサブバンドを占有し、前記第２時間周波数リソースは周波数領域において前記Ｎ個のサブバンドのうちの各サブバンドを占有し、Ｎ≧２であり、Ｎは正の整数であり、１≦Ｋ≦Ｎであり、Ｋが正の整数であることを特徴とするネットワーク装置。
【請求項１４】
前記ＵＣＩは前記第１時間周波数リソースに対応するチャネル占有時間（ＣＯＴ）共有指示を更に含むことを特徴とする請求項１３に記載のネットワーク装置。
【請求項１５】
前記受信ユニットは更に、前記Ｎ個のサブバンドのうちの各サブバンドにおける信号を検出することにより、前記Ｎ個のサブバンドのうちのＫ個のサブバンドが使用可能なサブバンドであるかどうかを決定するように構成され、１≦Ｋ＜Ｎであり、Ｋが正の整数であることを特徴とする請求項１３に記載のネットワーク装置。
【請求項１６】
前記ＵＣＩのビットレートは、ネットワーク装置が設定したもの又はプロトコルにより決められたものであることを特徴とする請求項１３〜１５のいずれか１項に記載のネットワーク装置。
【国際調査報告】
2021528937.tif 000014
2021528937.tif 000015
2021528937.tif 000016
2021528937.tif 000017
2021528937.tif 000018
2021528937.tif 000019